(57)【特許請求の範囲】
【請求項１】
複数のワイヤレス加入者中の少なくとも１つの信用上の制限のあるワイヤレス加入者へ通信サービスを提供するための無線通信ネットワークであって、ネットワークは少なくとも１つのホーム移動通信交換局を含み、ホーム移動通信交換局はホームロケーションレジスタを含み、ネットワークは少なくとも１つのサービス移動通信交換局を含み、サービス移動通信交換局はビジターロケーションレジスタを含み、ネットワークは、
通信通話を交換するための交換手段と、
通信通話を行い、それを受信するための移動局手段と、
ホーム移動通信交換局と結合され、さらにサービス移動通信交換局と結合され、ナショナルロケーションレジスタを提供するためのレジスタ手段とを具備し、
前記レジスタ手段は、ビジターロケーションレジスタとしてホーム移動通信交換局と通信し、ホームロケーションレジスタとしてサービス移動通信交換局と通信し、
前記レジスタ手段は、ホーム移動通信交換局から、およびサービス移動通信交換局からメッセージを受信するように構成され、
前記レジスタ手段はさらに、メッセージに関するローミング情報をローミングサーバへ送信するように構成されており、ローミングサーバはローミング情報に基づいて、リアルタイムでの通話制御及び信用上の制限のある口座課金を行うように構成されているネットワーク。
【請求項２】
前記レジスタ手段はさらに、
サービス移動通信交換局から少なくとも１つの登録通知メッセージを受信し、この登録通知メッセージを変更するメッセージ処理手段を具備しており、それによってホーム移動通信交換局に関してはビジターロケーションレジスタとして、サービス移動通信交換局に関してはホームロケーションレジスタとして、レジスタ手段を識別する請求項１記載のネットワーク。
【請求項３】
前記レジスタ手段はさらに、
サービス移動通信交換局へ着信を制限するメッセージを送信するためのメッセージ処理手段を具備し、それによって通話着信はサービス移動通信交換局において制限される請求項１記載のネットワーク。
【請求項４】
前記レジスタ手段はさらに、
発呼生成リモートサービスユニットを通って発呼の経路を設定するために、ローミング通話に対して特有の電話番号を割り当てるための番号セレクタ手段を具備している請求項１記載のネットワーク。
【請求項５】
前記レジスタ手段は、サービス移動通信交換局から一時的ロケーションディレクトリ番号を要求して、入来する通話がホーム移動通信交換局からサービス移動通信交換局へ導かれるように構成されている請求項１記載のネットワーク。
【請求項６】
複数のワイヤレス加入者中の少なくとも１つの信用上の制限のあるワイヤレス加入者へ通信サービスを提供するための無線通信ネットワークであって、ネットワークは少なくとも１つのホーム移動通信交換局を含み、ホーム移動通信交換局はホームロケーションレジスタを含み、ネットワークは少なくとも１つのサービス移動通信交換局を含み、サービス移動通信交換局はビジターロケーションレジスタを含み、ネットワークは、
通信通話を交換することができる通信スイッチと、
通信通話を行い、それを受信することができる移動体電話機と、
ホーム移動通信交換局と結合され、さらにサービス移動通信交換局と結合されている少なくとも１つのナショナルロケーションレジスタとを具備し、
前記ナショナルロケーションレジスタは、ビジターロケーションレジスタとしてホーム移動通信交換局と通信し、ホームロケーションレジスタとしてサービス移動通信交換局と通信し、
前記ナショナルロケーションレジスタは、ホーム移動通信交換局から、およびサービス移動通信交換局からメッセージを受信し、
前記ナショナルロケーションレジスタは、メッセージに関するローミング情報をローミングサーバへ送信し、ローミングサーバはローミング情報に基づいて、リアルタイムでの通話制御及び信用上の制限のある口座課金を行うネットワーク。
【請求項７】
前記ナショナルロケーションレジスタはさらに、
サービス移動通信交換局から少なくとも１つの登録通知メッセージを受信し、ホーム移動通信交換局に関してはビジターロケーションレジスタとして、サービス移動通信交換局に関してはホームロケーションレジスタとして、ナショナルロケーションレジスタを識別するようにこの登録通知メッセージを適合する少なくとも１つのメッセージプロセッサを具備している請求項６記載のネットワーク。
【請求項８】
前記ナショナルロケーションレジスタはさらに、
サービス移動通信交換局へ着信を制限するメッセージを送信し、それによって通話着信はサービス移動通信交換局において制限されるように構成されている少なくとも１つのメッセージプロセッサを具備している請求項６記載のネットワーク。
【請求項９】
前記ナショナルロケーションレジスタはさらに、
発呼発生リモートサービスユニットを通っての発呼の経路設定のために、ローミング通話に対して特有の電話番号を与えるための情報を含んでいるデータベースを具備している請求項６記載のネットワーク。
【請求項１０】
前記ナショナルロケーションレジスタは、サービス移動通信交換局から一時的ロケーションディレクトリ番号を要求して、入来する通話がホーム移動通信交換局からサービス移動通信交換局へ導かれるように構成されている請求項６記載のネットワーク。
【請求項１１】
入来するローミング通話をホーム移動通信交換局で受信し、
確認手段が、ローミング加入者に関連される口座残高がローミング通話を受信するのに十分であることを確認し、
転送手段が、ローミング通話をローミング加入者へ転送し、
変換手段が、口座残高を最大通話継続時間へ変換し、
監視手段が、ローミング通話を監視しながら、計時手段が、通話継続時間を生成するためにローミング通話を計時し、通話継続時間が最大通話継続時間を超過したならば、遮断手段が、ローミング通話を遮断し、ローミング通話の遮断後、減少手段が、通話継続時間に基づいて口座残高を減少させるステップを含み、
前記ローミング通話をローミング加入者へ転送するステップは、
ローミング加入者に関する一時的なローカルダイヤルされた番号をローミングサーバから受信し、
一時的なローカルダイヤルされた番号を使用して、ローミング通話をホーム移動通信交換局からサービス移動通信交換局へ延ばし、
延ばされたローミング通話をサービス移動通信交換局で受信し、
ローミング通話をサービス移動通信交換局からローミング加入者へ導くステップを含んでいる無線通信ネットワークローミング方法。
【請求項１２】
前記通話継続時間に基づく口座残高の減少ステップは、
通話継続時間を通話料金に変換し、
口座残高から通話料金を差し引くステップを含んでいる請求項１１記載の方法。
【請求項１３】
着信者と移動識別番号とを含んでいるローミング通話発呼要求をサービス移動通信交換局で受信し、
確認手段が、ローミング加入者に関連される口座残高がローミング通話を行うのに十分であることを確認し、
ローミング通話手段が、ローミング通話を行い、
変換手段が、口座残高を最大通話継続時間へ変換し、
監視手段が、ローミング通話を監視しながら、計時手段が、通話継続時間を生成するためにローミング通話を計時し、通話継続時間が最大通話継続時間を超過したならば、遮断手段が、ローミング通話を遮断し、ローミング通話の遮断後、減少手段が、通話継続時間に基づいて口座残高を減少させるステップを含み、
前記ローミング通話を行うステップは、
発呼に関連されるダイヤルされた番号をローミングサーバから受信し、
ダイヤルされた番号を使用して、ローミング通話を発呼スイッチへ延ばし、
発呼スイッチにおいて、ローミング通話を着信者に設定するステップを含んでいる無線通信ネットワークローミング方法。
【請求項１４】
ホームロケーションレジスタを有するホーム移動通信交換局に結合され、通話継続時間が最大通話継続時間を超過したならば、ローミング通話を遮断するように構成されている課金スイッチと、
ビジターロケーションレジスタを有するサービス移動通信交換局に結合され、通話継続時間が最大通話継続時間を超過したならば、ローミング通話を遮断するように構成されている発呼スイッチと、
ホームロケーションレジスタとビジターロケーションレジスタに結合されているナショナルロケーションレジスタと、
課金スイッチと、発呼スイッチと、ナショナルロケーションレジスタとに結合されているローミングサーバとを具備し、
前記ナショナルロケーションレジスタは、
ホームロケーションレジスタとビジターロケーションレジスタとの間で交換されるメッセージをインターセプトし、
加入者ロケーション情報をホームロケーションレジスタへ提供し、
加入者プロファイル情報をビジターロケーションレジスタへ提供するように適応的に構成され、
前記ローミングサーバは、
ローミング加入者に関する一時的なローカルダイヤルされた番号を課金スイッチへ提供し、
発呼スイッチに関するダイヤルされた番号をサービス移動通信交換局へ提供し、
ローミング通話に関連される着信者番号と、ローミング加入者に関連される移動識別番号とを発呼スイッチへ提供するように適応的に構成されている無線通信システム。
【請求項１５】
課金スイッチはマーケットサーバに結合されている請求項１４記載のシステム。
【請求項１６】
ナショナルロケーションレジスタは第１のＳＳ７リンクを介してビジターロケーションレジスタに結合され、
ナショナルロケーションレジスタは第２のＳＳ７リンクを介してホームロケーションレジスタに結合されている請求項１４記載のシステム。
【請求項１７】
前記インターセプトされたメッセージは、第１のＳＳ７リンクでビジターロケーションレジスタから送信された加入者ロケーションメッセージを含んでいる請求項１６記載のシステム。
【請求項１８】
前記インターセプトされたメッセージは、第２のＳＳ７リンクでホームロケーションレジスタから送信された加入者プロファイル情報を含んでいる請求項１６記載のシステム。
【請求項１９】
加入者ロケーション情報は移動通信交換局識別を含んでいる請求項１４記載のシステム。
【請求項２０】
加入者ロケーション情報はロケーション領域識別を含んでいる請求項１４記載のシステム。
【請求項２１】
加入者プロファイル情報はローミング認証を含んでいる請求項１４記載のシステム。
【請求項２２】
加入者プロファイル情報はローミングコスト情報を含んでいる請求項１４記載のシステム。
【請求項２３】
前記通話継続時間に基づいて口座残高を減少するステップは、通話継続時間を通話料金に変換し、
口座残高から通話料金を差し引くステップを含んでいる請求項１３記載の方法。
【発明の詳細な説明】
【０００１】
〔発明の背景〕
本願は、２０００年２月２９日出願の米国仮出願番号６０／１８６，０６７による権利を主張している。
【０００２】
（１）発明の分野
本発明は、一般に電気通信分野に関し、特に、リアルタイム課金のためにワイヤレスローミング通話を管理及び監視する通信システム、具体的には、信用上の制限のあるワイヤレスローミング通話を管理及び監視する通信システムに関する。
【０００３】
（２）背景技術
通信業界は、ワイヤレス通信サービス（「ワイヤレスサービス」又は単に「ワイヤレス」と称する）の導入により、ワイヤレス通信環境へと移行してきた。この移行により、全国レベル及び全世界レベルで増加するワイヤレス加入者にサービスしようとする無数のワイヤレスプロバイダが、出現することになった。ワイヤレス加入者が、自身の地理的位置を気にかけずにワイヤレス通信を発信及び受信できるようにすることは、技術的課題であるだけでなく、複雑なネットワーク及び設備を必要とする。ワイヤレス加入者は、自身のホームネットワークの地理的外部で、ワイヤレス通信の発信及び受信を望むことがある。「ホームネットワーク」とは、加入者が契約しているワイヤレスプロバイダのネットワークによってサービスされるネットワーク又は領域のことである。一方、ワイヤレスプロバイダも、加入者がホームネットワークの地理的外部にあるときであっても、加入者に通信サービスを提供することを望んでいる。このことを、通常、ホームネットワーク外のローミングあるいは単にローミングと称する。加入者としては、ローミングソリューションが発生するホームネットワーク外の通信が可能になっている必要がある。
【０００４】
しかしながら、このサービスを提供することにより、プロバイダに対して信用上のリスクが発生する。これは、ローカルローミングプロバイダのネットワーク内におけるローミングの際に、ローミングする加入者による発呼あるいは該加入者への配信を、口座課金用にリアルタイムで管理又は監視することはできないためである。このように信用上のリスクにさらされるおそれがあるため、多くの場合にワイヤレスプロバイダは、信用上のリスクを軽減するため、多くの加入者に対してローミングサービスの提供を拒絶してきた。信用上のリスクを軽減する他のソリューションには、クレジットカード通話、様々な前払いシステムが含まれる。前払いシステムには、前払いで未登録のローミングする加入者に対して、発呼のみについてローミングサービスを提供するという、本出願人の特許のシステムがある。
【０００５】
加入者がホームネットワーク外にいるとき、その加入者装置は通信可能なローカルプロバイダのネットワーク（ローミングする加入者の近くにある「ローカルプロバイダ」は「ローミングプロバイダ」又は「サービスプロバイダ」と称せられうる。）を探す。これをローミングと呼ぶ。加入者装置は、通信が確立可能なネットワークプロバイダが見つかるまで、ローミングを行う。無数のプロバイダ及び増加中の加入者が複雑な設備で接続されるので、ネットワークのローミングソリューションは、全国又は全世界にわたるワイヤレスサービスを首尾よく提供するための重要な部分となる。
【０００６】
ワイヤレス通信ネットワーク及びサービスは、ローミング登録通知（Ｒｅｇｎｏｔ：Roaming Registration Notification）のためのローミングソリューション、並びに、ワイヤレスでローミングする加入者（ワイヤレスローミング加入者）が発するワイヤレス通信、及びワイヤレスでローミングする加入者へ向けた通信のためのローミングソリューションを、提供する必要がある。ワイヤレスでローミングする加入者へのサービスのために設計された、様々なワイヤレス通信相互接続戦略が存在する。所定のワイヤレスプロバイダは、ローカルとホーム双方の加入者トラフィックをサービスすることになっている。具体的には、このワイヤレスプロバイダ自身の加入者に対してサービスし、自身の加入者ではなく当該ローカルプロバイダーのネットワークにローミングしてきた加入者（すなわちワイヤレスでローミングする加入者）に対してもサービスする。
【０００７】
上記のように、ワイヤレス加入者は、位置を気にせずに自身の移動電話が使用可能となることを要望している。この加入者の要望により、ワイヤレスプロバイダは、自身の加入者がワイヤレスホームプロバイダのネットワーク外にいるときにその加入者にローミングサービスを提供するために、ワイヤレスプロバイダ間で契約を結ぶように仕向けられる。加入者の移動局すなわち移動電話が、当該加入者の契約先以外のワイヤレスプロバイダにより運営されているローカルネットワーク内でのサービスを要求するとき、当該加入者はローミング側とみなされる。加入者の移動局がローミングモードであるとき、ローミング状態を示す信号が加入者に提供され、通常は、加入システムのシステムＩＤ（ＳＩＤ：system identification）の比較結果として移動電話のディスプレイに表示される。なお、加入システムのＳＩＤは、ローカル基地局から送信されるサービスを提供するローカルワイヤレスプロバイダのシステムのＳＩＤとともに、移動局（移動電話）内に格納されている。このことにより、移動局の加入者は、提供されるサービスにはローミング料金がかかる旨、警告される。しかしながら、様々なワイヤレスプロバイダ間の契約が一様でないため、通常、加入者は実際のローミングコストを認知できない。従って、加入者は、予想以上のローミングコストを蓄積させてしまうことがありうる。
【０００８】
ワイヤレス加入者の移動局すなわち移動電話が、そのホームネットワーク外の地理的領域に入った場合、ホームプロバイダの通信ネットワークからサービスを受けないようにするのが、通常のシナリオである。移動局すなわち移動電話は、ローカルプロバイダの移動通信交換局（ＭＳＣ：Mobile Switching Center）に識別情報を提供することにより、ローカルプロバイダ（ローミングプロバイダ）のワイヤレス通信システムに登録する。この識別をＲｅｇｎｏｔと称する。ローカルプロバイダのＭＳＣに付属のビジターロケーションレジスタ（ＶＬＲ）は、他のプロバイダを識別する情報のデータベースを有する。なお、他のプロバイダとは、課金協定を結んでいる。これは、ローカルプロバイダが、他のプロバイダ（ローミングしている加入者のホームプロバイダ）の加入者がローミングするときに、ローミングサービスを提供する旨合意しているというものである。ＶＬＲは、ワイヤレスローミング加入者に提供される全てのサービスの記録を保持する。他のプロバイダ、すなわちローミングしている加入者のホームプロバイダが、ローカルプロバイダのＶＬＲに登録されていれば、該ＶＬＲは、ローミング加入者のホームプロバイダのホームロケーションレジスタ（ＨＬＲ）と交信し、ローカルすなわちローミングプロバイダのネットワーク内にローミングしてきたローミング加入者の発呼者プロファイル情報を入手することになる。そして、ローカルワイヤレスプロバイダのワイヤレス通信システムは、そのローカルワイヤレスプロバイダのネットワークにローミングしてきたローミング加入者にサービスを提供するための認証を要求する。ホームプロバイダのＨＬＲは、ローミングサービスを提供すべきか提供すべきではないかを、ローカルプロバイダのＶＬＲに伝達する。一旦、ローミングサービスの提供が許可されると、そのローミング加入者による全ての発呼が、ローカルプロバイダのＭＳＣ及びＲＳＵにより完結される。ホームプロバイダはローミングしている発呼者を管理できないということが、問題である。この状況により、ホームプロバイダに信用上のリスクが発生する。従って、ホームプロバイダは、ある程度の人数の加入者に対し、ローミングサービスを許可しないことにする。そのため、これら加入者は、ローミングプロバイダのＶＬＲに登録されないことになる。なお、通信業界では、プロバイダの移動通信交換局又は交換局又は移動スイッチ又は単にスイッチと言った場合、それには通常、ＨＬＲ及びＶＬＲが、他の必要なハードウェアとともに含まれるものである。本明細書にこれらの術語が用いられた場合には、ＨＬＲ及びＶＬＲが含まれていることを意味している。
【０００９】
ローカルすなわちローミングプロバイダのネットワークにおけるローミングの際に、ローミングしている加入者への通話の配信は、現行のワイヤレス通信設備で実行可能であるが、一旦ローカルプロバイダのＭＳＣで通話が着信されると、ホームプロバイダには、通話を管理及び監視する手段がなくなってしまう。この場合についても、ホームプロバイダは、ある程度の人数の加入者に対してローミングサービスを許可しないこととし、これら加入者は、ローミングプロバイダのＶＬＲに登録されないことになる。
【００１０】
ローミングしている加入者が、ローカルプロバイダのＶＬＲで識別されると、ローカルプロバイダのシステムは、ＨＬＲと称するデータベースを有するホームワイヤレスプロバイダのシステムコントローラへ、サービス提供の要求を送信することになる。ＨＬＲには、ローミング許可の認証、ユーザの特徴、及び取り決められた様々な契約協定に基づいて予期されるローミングコストについての情報を備えたユーザプロファイル情報が、含まれている。そして、ホームワイヤレスプロバイダシステムは、ローカルワイヤレスプロバイダシステムへ、他の特徴とともにローミング許可の認証が含まれた情報を提供する。
【００１１】
本出願人は、前払いで未登録のローミングする加入者による発呼をリアルタイムで管理することを提供する特許技術を、実施可能にするとともに実現してきた。この技術は、上述の問題の一部に、具体的には未登録で前払いのローミング加入者からの発呼に、対処するものである。それら加入者に対して、ホームプロバイダがローカルプロバイダにローミングサービスを登録しないようにすることを、選択できる。この技術により、未登録で前払いのローミング加入者（ホームプロバイダがローカルプロバイダのＶＬＲに登録しないようにした加入者であるが、前払いの加入者）は、前払いで発呼することができる。例えば、２０００年２月２２日に本出願人に発行された米国特許第６，０２９，０２６号には、このようなサービスを提供するネットワークが開示されている。この特許では、前払い通話管理プラットフォームを含んだ通信システムが、開示されるとともに特許請求されている。このプラットフォームは、ローカルローミングプロバイダの通信ＭＳＣに接続されるとともに同じ場所に配置されている。さらにこのシステムには、前払い顧客データを格納するための前払い通話管理プラットフォームに接続された顧客データが、含まれている。このシステムは、未登録ローミング通話機能のある全ての前払い通話を、実際に通話管理する方法を提供している。この方法には、未登録のローミング通話をローミングプロバイダの通信ＭＳＣで認識するステップと、未登録のローミング通話を、前記通信ＭＳＣに接続された前払い通話管理プラットフォームへルーティングするステップとが、含まれている。このシステムにより、未登録のローミング通話がローカルで処理可能となる。このシステムは、前払い通話管理課金を提供しているが、この技術は、ローカルすなわちローミングプロバイダが、該ローミングプロバイダのＭＳＣと通信可能で同じ場所に配置された追加のハードウェア設備を必要とする。必要な追加の設備には、前払いのローミング通話を着信させるリモート交換ユニット（ＲＳＵ：Remote Switching Unit）が、含まれている。さらに、この特許システムは、通話配信サービス（ローカルネットワークにおいてローミングしている加入者へかかってくる通話）ではなく、発呼サービスのみを提供している。
【００１２】
ローミングする加入者のＲｅｇｎｏｔが発生すると、ホームワイヤレスプロバイダシステムにも記録される。このことにより、ホームワイヤレスプロバイダは、加入者の位置を認識可能となる。このホームワイヤレスプロバイダが、全てのかかってきた通話を、加入者の移動局で最終的に着信するように、ローカルプロバイダのＭＳＣへと再びルーティングできるためである。加入者の移動局が、それまでに接続していたプロバイダのネットワークのＭＳＣから新たなＭＳＣへと、あるいは元のホームプロバイダのネットワークのＭＳＣへとローミングする場合に、ホームＭＳＣは、それまでのＭＳＣに対し、当該移動局に関するあらゆるデータをシステムから消去するように通知する。ローミングする発呼者を追跡し、ローカルプロバイダの交換局で着信する通話を確実に成立させる処理について、本出願人の口座課金のための特許システムでは取り扱わない。
【００１３】
要するに、標準的なワイヤレス通信ネットワークには、いくつかの欠点がある。例えば、標準的なネットワークの欠点として、ローミングしている加入者への配信が管理又は監視不能であるということがある。通常のネットワークの他の欠点として、ローミングしている加入者からの発呼が、全く監視及び管理不能であるか、あるいは、監視及び管理がなされたとしても、ローミングプロバイダのサイトに追加の設備が必要となる。ある程度の人数のローミングする加入者の信用上のリスクに対処すること、及び、ワイヤレスプロバイダが、信用上のリスクのある加入者にワイヤレスローミングサービスを提供する一方で、その信用上のリスクを軽減しうるようなシステムを提供することが、ワイヤレスにて必要とされている。
【００１４】
〔発明の簡単な概要〕
本発明は、Ｒｅｇｎｏｔ機能、ローミング発呼機能、及びローミング着信機能を含むワイヤレス通信ローミングソリューションである。リアルタイム口座課金システムが組み込まれたローミングソリューションは、ホームプロバイダが、信用上のリスクのあるローミング加入者（例えば前払いローミング加入者）により発呼された通話及び該加入者に着信する通話を、監視し、管理し、リアルタイム料金決定できるようにする。このローミングソリューションは、当該ローミングソリューションの一部でもあるナショナルロケーションレジスタ（ＮＬＲ）と発呼リモート交換ユニットとの間のゲートウェイとして機能するローミングサーバが含まれた複数のネットワーク構成要素を備えたネットワーク構成を、規定している。発呼リモート交換ユニットすなわち８００番リモート交換ユニット（８００＃ＲＳＵ）は、ワイヤレスローミング発呼が、一般に中央制御ＲＳＵ又は発呼ＲＳＵと称する中央制御部を通じて処理されるところである。ローミングサーバは、ＮＬＲと、ローミングソリューションが接続された口座課金システムとの間のゲートウェイとしても機能する。ＮＬＲは、ホームプロバイダのＨＬＲから見るとＶＬＲとして機能し、ローカルローミングプロバイダのＶＬＲから見るとＨＬＲとして機能する。これは、ホーム移動通信交換局のＨＬＲとローミングサービス移動通信交換局のＶＬＲとの間の通信リンクに、ＮＬＲが接続又は挿入されることによりなされる。ＮＬＲは、ＶＬＲ及びＨＬＲからのメッセージをインターセプトできるように通信可能に配置される。ＮＬＲは、ワイヤレスローミング加入者の位置情報を追跡する。また、ＮＬＲにはＨＬＲ情報が格納されている。このＨＬＲ情報により、加入者プロファイル情報が得られる。ＮＬＲ及びローミングサーバは、ホームＭＳＣといくつかのローミングサービスＭＳＣを有する標準の変更されていないワイヤレス通信ネットワークに、通信可能に組み込まれるようにされている。なお、ホームＭＳＣは、ワイヤレスローミング加入者における発呼に対して伝送及び変換をサポートするものであり、ローミングサービスＭＳＣは、ワイヤレスローミング加入者への着信に対して伝送及び変換をサポートするものである。さらに、ＮＬＲ及びローミングサーバは、全てのローミング通話を、監視、管理、リアルタイム料金決定、及び課金することが可能なリアルタイム課金システムに、通信可能に組み込まれるようにされている。このように、ローミングソリューション・ネットワークシステムは、３つの構成要素を備えており、それらは、ローミングサーバ、ＮＬＲ、及び発呼ＲＳＵ（８００＃ＲＳＵ）である。これら各構成要素は、ホームプロバイダやサービスプロバイダのいずれからも離れた中央の位置に配置可能にされている。
【００１５】
本発明の一実施形態では、ワイヤレスでの信用上のリスクのあるローミング加入者からの全ての発呼がサポートされ、通話の監視及び管理が提供される。ローミングサーバが提供しているリアルタイム通話監視及び管理、並びにリアルタイム口座課金システムに組み込まれたＮＬＲにより、ホームプロバイダが信用上のリスクにさらされるおそれが軽減される。Ｒｅｇｎｏｔ処理の際に、ＮＬＲソフトウェアは、ローミングサービスＭＳＣＩＤを取り込み、これを、次の発呼の格付けで使用するためにローミングサーバに提供する。さらに、発呼の際に、ＮＬＲソフトウェアは、発呼側の加入者のＭＩＮ及びダイアルされた番号を取り込む。これは、次に中央８００＃ＲＳＵで着信者側への通話を設定するために、使用されることになる。それに応じて、ＮＬＲソフトウェアは、ダイアルされた一意的な番号ＤＮを、ローミングサービスＭＳＣが発呼を８００＃ＲＳＵへと延長するのに用いるために受信する。本発明の当該実施形態では、ワイヤレスローミング加入者への着信が禁止されている。ローミングソリューションの構成要素、具体的にはＮＬＲ、ローミングサーバ、及び発呼ＲＳＵを、中央の位置に配置することにより、未登録の前払いローミング加入者にサービスを提供するためにサービス通信交換局に特殊なローミングプラットフォームを共に配置するという必要性が軽減される。これは、加入者が登録可能となったためである。
【００１６】
本発明の他の実施形態では、ワイヤレスでの信用上のリスクのあるローミング加入者に通話を伝達することがサポートされている。この場合にも、本発明のローミングソリューションでは、ホームプロバイダが信用上のリスクにさらされるおそれが軽減されている。ワイヤレスでの信用上のリスクのあるローミング加入者宛ての通話が、ホームＭＳＣに到達すると、ＭＳＣは、その通話を課金システムのＲＳＵへとルーティングする。なお、課金システムのＲＳＵを、口座課金システムＲＳＵと称する。課金システムの口座課金システムＲＳＵは、マーケットサーバに照会して通話の有効性確認を要求し、ローミングサーバに、ローミングサーバＭＳＣへの一時ローカルディレクトリ番号（ＴＬＤＮ：temporary local directory number）を要求する。ローミングサーバは、要求をＮＬＲへ転送する。そして、ローミングサーバからの要求があると、ＮＬＲソフトウェアは、ルート要求（ＲＯＵＴＥＲＥＱ）メッセージ及び応答を用いて、ローミングサービスＭＳＣからＴＬＤＮを取得することになる。ローミングサーバと連動する課金システムに組み込まれたＲＳＵは、ＴＬＤＮを利用して、ワイヤレスローミング加入者宛てにローミングサービスＭＳＣへと発呼する。着信すると、発呼側からＲＳＵへ、そしてＲＳＵから着信側のワイヤレスローミング加入者への通話セグメントが、課金システムに組み込まれたＲＳＵにて接続される。上記のように、ＮＬＲソフトウェアは、Ｒｅｇｎｏｔの間は、ワイヤレスローミング加入者への着信を禁止している。しかし、ワイヤレスローミング加入者への通話が受信されると、ＮＬＲソフトウェアは、ＱＵＡＬＤＩＲメッセージをローミングサービスＭＳＣへ送信して、ワイヤレスローミング加入者への着信を可能とする。通話が切断されると、ローミングサーバは、ＮＬＲソフトウェアに通知して、該ＮＬＲソフトウェアがワイヤレスローミング加入者への着信を禁止することになる。なお、ＮＬＲは、単一の通話事例では、ワイヤレスローミング加入者が、自身のホームＭＳＣからローミングサービスＭＳＣへと、あるいはサービスＭＳＣから自身のホームＭＳＣへとハンドオフすることを、考慮していない。
【００１７】
本発明には、登録された前払いワイヤレス加入者がローミングして自身のプロバイダのホームネットワークから出た場合に、発呼及び着呼可能とする口座課金及び通話管理プラットフォームと通信する機能が、含まれている。本発明は、前払いのワイヤレス加入者の口座残高が発呼又は着呼に充分であることを確認し、口座残高を通話時間（分）に変換して、通話継続時間を監視する。前払いのワイヤレス加入者が利用可能な口座残高を超過した場合、本発明は、マイナスになるとすぐに通話を切り離して、即座に前払いワイヤレス加入者の口座を減少させる。口座残高を使い切る前に通話が切断された場合、本発明は、即座にワイヤレス加入者の口座を減少させて、トランクを開放する。
【００１８】
上記のように、本発明により、ホームプロバイダが容認しかねる信用上のリスクにさらされることなしに、信用上のリスクが高いローミング加入者にサービスを提供することができないという、ワイヤレスネットワークの欠点が解消される。これにより、以前に未登録であった前払いのワイヤレスローミング加入者であって、未登録で前払いのローミングソリューションを必要とする者は、登録された口座型ワイヤレスローミング加入者になることができる。また、このような口座加入者は、前払い又は場合によっては信用上の制限のある加入者であってもよい。以下の説明において、本発明におけるこれらのあるいは他の有利な特徴は、一部は明示され、一部は示唆される。
【００１９】
〔発明の詳細な説明〕
本発明をよりよく理解するために図面が参照される。本発明の実施形態では、図１〜１３に様々な図面が示されており、図面の様々な要素の全てに関し、本発明における同様な要素及び対応する要素には、一貫して同じ参照番号が用いられている。また、本発明の所与のアイテム又は要素に関する参照番号の上位側の桁は、当該アイテム又は要素が最初に登場した図面の番号に対応するようになっている。
【００２０】
本発明の一実施例は、ローミングソリューションシステムを備えている。ローミングソリューションシステムは、ローミングサーバ及びＮＬＲ、並びに８００＃ＲＳＵを備えている。８００＃ＲＳＵにおいて、ローミングソリューションシステムは、通常のホームプロバイダの設備及び複数のローミングプロバイダの設備を有する標準的な通信ネットワークと、交信可能に接続するように適合しているとともに、マーケットサーバ及びＲＳＵを有するリアルタイム口座課金システムとも、交信可能に接続するように適合している。ローミングソリューションにより、ホームプロバイダが信用上のリスクにさらされるおそれを軽減しつつ、信用上のリスクの高いローミングする加入者に対して、信用上の制限のあるワイヤレスローミングサービスを提供する新しいシステム及び方法が教示される。さらに、ローミングソリューションにより、ホームプロバイダは、実質的な信用上のリスクのおそれなく、信用上のリスクが高いローミング加入者を提携先の複数のローミングプロバイダに登録する旨、決定できるようになる。
【００２１】
図面を参照することにより、本発明の詳細及び様々な実施例を、よりよく理解することができる。図１に、ワイヤレスローミングソリューションの全体的なネットワーク構成１００を示す。ネットワーク構成は、シームレスなローミングソリューションを提供するために設計されたものである。ネットワークの様々な構成要素間には、通信リンク又はパスが示されている。例えば、音声通信パスは、移動局すなわち移動電話１０４及びローミングサービスＭＳＣ１０６間の音声リンク１０２として示されている。また、ＳＳ７通信リンクは、例えばＶＬＲ１１０及びＮＬＲ１１２間のＳＳ７通信リンク１０８として示されている。また、ＴＣＰ／ＩＰ通信リンクは、例えばＮＬＲ１１２及びローミングサーバ１１６間のＴＣＰ／ＩＰ通信リンク１１４として示されている。通常のＳＳ７通信ネットワーク構成は、ＳＳ７リンクでＶＬＲと接続されるとともにローミングの位置に配置されたローミングサービスＭＳＣ１０６を備え、さらに、ＳＳ７リンクでＨＬＲと接続されるとともにワイヤレスローミング加入者のホームロケーションに配置されたホームＭＳＣ１１８を備えている。また、ネットワーク構成には、ワイヤレスローミング加入者のホームロケーションに対してローカルなローカル課金システムＲＳＵ１２０が、含まれていてもよい。このローカルＲＳＵ１２０は、リアルタイム口座課金のワイヤレスローミング通話を管理する付属交換局として機能する。また、ネットワークには、マーケットサーバ１１２が含まれていてもよい。マーケットサーバ１１２には、リアルタイム口座課金用の格付けエンジンがあり、信用上のリスクが高い加入者用のデータベースがある。マーケットサーバ及びローカル課金ＲＳＵは、標準的なＴＣＰ／ＩＰリンクで交信可能にリンクされてもよい。さらに、ＲＳＵは、音声リンク１２６，１２８でホームＭＳＣと交信可能になっている。
【００２２】
ネットワークには、新規なローミングソリューション・ネットワークシステムが設けられていてもよい。このローミングソリューションシステムは、ローミングサーバ１１６、ＮＬＲ１１２、及び８００＃ＲＳＵ１３０（発呼ＲＳＵ）を、備えている。ローミングソリューションシステムは、ローミングサーバ１１６を介してローカル課金システムＲＳＵ１２０に、標準的なＴＣＰ/ＩＰリンク１３２で交信可能にリンクしている。これにより、リアルタイム口座課金のために、リアルタイムでの通話監視及び管理システムへの交信可能なリンクが提供される。ローミングソリューションの各構成要素は、標準的なＴＣＰ/ＩＰリンク１１４，１３４で相互接続されている。８００＃ＲＳＵは、ローミングプロバイダのローミングサービスＭＳＣ１０６への音声リンク１３６を有する。８００＃ＲＳＵ１３０は、ローミングソリューション・ネットワークの構成要素である。この８００＃ＲＳＵ１３０へのローミングワイヤレス加入者の発呼が処理されて、管理がなされる。ローミングソリューション・ネットワークのローミングサーバ１１６は、ＮＬＲ１１２及びマーケットサーバ１２２間のゲートウェイとして機能する。マーケットサーバ１２２は、口座課金ネットワークの構成要素である。口座課金ネットワークには、格付けエンジン及び加入者データベースがある。
【００２３】
ＮＬＲ１１２は、ローミングプロバイダのＶＬＲ１１０及びホームプロバイダのＨＬＲ１３８間のＳＳ７リンクに、交信可能に挿入されるようになっている。ＮＬＲ１１２は、ＳＳ７リンク１０８でＶＬＲ１１０に交信可能にリンクされ、ＳＳ７リンク１４０でＨＬＲ１３８に交信可能にリンクされている。ＮＬＲは、ＨＬＲの機能（加入者プロファイル情報の処理）、及びＶＬＲの機能（登録ビジターのローミングの処理）を、実行するように適合している。従って、ＮＬＲは、ＶＬＲに対してはＨＬＲのように見えるように、ＨＬＲに対してはＶＬＲのように見えるように、適合している。ＮＬＲは、ＨＬＲ及びＶＬＲからメッセージをインターセプトするように、交信可能に適合している。ネットワークＮＬＲ１１２は、ワイヤレスローミング加入者の位置情報を追跡し、このワイヤレスローミング加入者のプロファイル情報を提供するＨＬＲに反映させる。
【００２４】
ワイヤレスローミング加入者のワイヤレス移動局すなわちワイヤレス移動電話１０４が、ローミングＭＳＣ１０６の領域に入ると、Ｒｅｇｎｏｔが発生する。Ｒｅｇｎｏｔ処理の際に、ＮＬＲ１１０のソフトウェアは、ＤＮ及びＲｅｇｎｏｔ応答メッセージをローミングサービスＭＳＣ１０６に提供するために、利用される。ＤＮは、中央８００＃ＲＳＵ１３０に割り当てられ、この８００＃ＲＳＵ１３０への全ての発呼が処理されて管理がなされる。ワイヤレスローミング加入者の移動局１０４がＲｅｇｎｏｔ処理を一旦完了すると、ＮＬＲソフトウェアは、着信制限コードを設定することにより、このワイヤレスローミング加入者への通話の着信を全て防止することができる。そして、ＮＬＲは、Ｒｅｇｎｏｔ応答メッセージを、ローミングサービスＭＳＣ１０６へ送信する。この時点で、ワイヤレスローミング加入者からの全ての発呼がサポートされる。
【００２５】
また、Ｒｅｇｎｏｔ処理の際に、ＮＬＲソフトウェアは、ローミングサービスＭＳＣＩＤを取り込み、次に発呼の格付けで用いるために、このＭＳＣＩＤをローミングサーバ１１６に供給する。ワイヤレスローミング加入者からの発呼の際、ＮＬＲソフトウェアは、発呼側の加入者のＭＩＮ及びダイアルされた数字（すなわち着信側の番号）を取り込む。ＭＩＮ及びダイアルされた数字は、次に中央８００＃ＲＳＵ１３０が着信側への通話をセットアップする際に使用するために、ローミングサーバに提供される。発呼に応答して、ＮＬＲソフトウェアは、ローミングサービスＭＳＣ１０６が発呼を８００＃ＲＳＵへと延長するのに使用するために、一意的なＤＮを受信する。
【００２６】
また、ネットワーク構成は、ワイヤレスローミング加入者への通話の配信すなわち着信をサポートするようにされている。ワイヤレスローミング加入者がローミングサービスＭＳＣ１０６の領域に入ると、ローミングサーバ１１６は、ワイヤレスローミング加入者の位置を認識する。従って、ワイヤレスローミング加入者への着呼がホームＭＳＣ１１８に到達すると、該ホームＭＳＣはその着呼を、ローカル口座課金システムＲＳＵ１２０へとルーティングする。そして、ローカル口座課金システムＲＳＵが口座課金システムのマーケットサーバ１２２に照会すると、今度は該マーケットサーバ１２２がローミングサーバ１１６にＴＬＤＮを要求する。ローミングサーバ１１６は、このＴＬＤＮの要求をＮＬＲ１１２へ転送する。次に、ローミングサーバからの要求に応じ、ＮＬＲソフトウェアは、ＲＯＵＴＥＲＥＱメッセージ及び応答を用いて、ローミングサービスＭＳＣ１０６からＴＬＤＮを取得する。一旦ＴＬＤＮが提供されると、ローミングサーバ１１６と連動しているローカルＲＳＵ１２０は、このＴＬＤＮを利用して、ローミングサービスＭＳＣ１０６へとワイヤレスローミング加入者宛てに発呼する。ワイヤレスローミング加入者がこの発呼に応答すると、発呼側からローカルＲＳＵ１２０への及びローカルＲＳＵから着信側のワイヤレス加入者への通話セグメントが、ローカルＲＳＵにつながれる。
【００２７】
上述したようにＮＬＲソフトウェアは、Ｒｅｇｎｏｔ処理の間には、ワイヤレスローミング加入者への着信できないようにしている。しかしながら、ワイヤレスローミング加入者への通話がホームＭＳＣにて受信されると、ＮＬＲソフトウェアは、ローミングサービスＭＳＣ１０６へメッセージを送信して、ワイヤレスローミング加入者への着信を可能にするようになっている。通話が切断されると、ローミングサーバ１１６は、ＮＬＲソフトウェアがワイヤレスローミング加入者に対する通話を着信不能とするように、当該ＮＬＲソフトウェアに通知することができる。
【００２８】
なお、このネットワークにおけるワイヤレスローミング加入者は、その移動識別番号（ＭＩＮ：mobile identification number）で識別される。ワイヤレスローミング加入者のＭＩＮは、Ｒｅｇｎｏｔ処理間に取り込まれ、その時点において、ＮＬＲソフトウェアは、内部にある加入者ルックアップテーブルを参照し、ローミングサービスＭＳＣが発呼トリガを利用した発呼をサポートしているかどうかを、認識することができる。ルックアップテーブルでローミングサービスＭＳＣＩＤが見つからなければ、ＮＬＲソフトウェアは、Ｒｅｇｎｏｔメッセージにある通信能力（ＴｒａｎｓＣａｐ）パラメータのみに基づいて、発呼トリガをロードすることになる。さらに、ＮＬＲは単一の通話事例において、ワイヤレスローミング加入者がそのホームＭＳＣからサービスＭＳＣへ（非ローミングからローミングへ）と、あるいは、ローミングサービスＭＳＣからホームＭＳＣへ（ローミングから非ローミングへ）と、どの時点でハンドオフされたかを考慮しない。ワイヤレスローミング加入者の位置特定は、Ｒｅｇｎｏｔ時に実行される。単一の通話事例では、ＮＬＲは、ローミングハンドオフとなる追加の動作を実行することはない。ローミングハンドオフになると、単一の通話事例で、ホームＭＳＣ領域及びローミングサービスＭＳＣ領域間での移動の際に、ワイヤレスローミング加入者の位置の変更が生じてしまうことがある。ワイヤレスローミング加入者のローミング位置がシームレスであってＲｅｇｎｏｔ時にのみ確立するというように、ハンドオフは、ソフトウェアに対してトランスペアレントである。
【００２９】
ローミングサービスＭＳＣ１０６からの全てのメッセージは、ＳＳ７ネットワークリンク１０８を通じてＮＬＲ１１２へルーティングされる。ＮＬＲ１１２は、ワイヤレスローミング加入者の位置情報（すなわち、ＭＳＣＩＤ、位置領域ＩＤ等）を抽出し、それを内部のデータベースに格納することができる。さらに、ＮＬＲは、Ｒｅｇｎｏｔリターン結果メッセージにおけるプロファイルパラメータのいくつかを変更し、ワイヤレスローミング加入者がローミングサービスＭＳＣに対して、発呼及び着呼可能となるようにしてもよい。また、ＮＬＲは、ワイヤレスローミング加入者の位置情報を、ＴＣＰ／ＩＰネットワークリンク１１４を通じて、ローミングサーバ１１６へ転送してもよい。
【００３０】
このローミングソリューション・ネットワークシステムの利点は、明らかである。標準的なＳＳ７又は他の標準的で同様に構成された通信ネットワークに、新規のシステムを統合したものは、トランスペアレントである。ホームＭＳＣ及び関連したＨＬＲ並びにサービスＭＳＣ及び関連したＶＬＲは、平常のまま通常どおりに動作する。通話を監視及び管理する口座課金システムは、マーケットサーバ１２２及びローカル口座課金システムＲＳＵ１２０を含み、平常のまま通常どおりに動作する。ホームプロバイダの交換局への着呼は、以前に登録されていなかったが現在は登録されている信用上の制限のあるローミング加入者へ、伝達可能になる。ローミングプロットフォームが各ローミングプロバイダのサイトをサポートする必要なく、現在登録されているこれら信用上の制限のある加入者による発呼が可能となる。このことは、全て、ホームプロバイダが信用上のリスクにさらされるおそれを軽減しつつなされる。
【００３１】
図２は、ローミングサービスＭＳＣの領域内でワイヤレスローミング加入者が移動電話の電源を投入したとき、あるいはワイヤレスローミング加入者がローミング領域へ移動したときの通話Ｒｅｇｎｏｔ処理の通話フロー図である。ワイヤレスローミング加入者が、移動電話１０４の電源を投入すると２０２、該移動電話は、ＭＩＮをローミングサービスＭＳＣ１０６へ伝達する。ローミングサービスＭＳＣ１０６は、ＳＳ７ネットワークリンクを通じてＶＬＲ１１０へと、Ｒｅｇｎｏｔメッセージを送信する２０４。ローミングサービスＭＳＣのＶＬＲは、ＮＬＲポイントコードを、ワイヤレスローミング加入者のＭＩＮにおける予約済みのブロックのためのＨＬＲとして識別するように、構成されている。従って、ローミングサービスＭＳＣは、ＲｅｇｎｏｔをＮＬＲへ送信する。Ｒｅｇｎｏｔメッセージを受信すると、ＮＬＲはその内部のデータベース中のＭＩＮを参照し、ワイヤレスローミング加入者がリストに載っているかどうか認識することができる。ワイヤレスローミング加入者がリストに載っているならば、ＮＬＲは、ローミングサービスＭＳＣＩＤを、ＮＬＲのＭＳＣＩＤに置き換え、ＨＬＲの直接ポイントコード（direct point code）を用いて、ＲｅｇｎｏｔメッセージをＨＬＲへ転送する２０６。ワイヤレスローミング加入者がリストに載っていなければ、ＮＬＲは、メッセージを何も変更することなく（すなわち、ＭＳＣＩＤはＮＬＲＩＤに置き換えられない）、直接ＨＬＲへと転送する。そして、ＨＬＲは、ＳＳ７ネットワークリンクを通じてＮＬＲへと、Ｒｅｇｎｏｔリターン結果メッセージに応答する２０８。ＮＬＲは、Ｒｅｇｎｏｔリターン結果メッセージを、ローミングサービスＭＳＣへ転送する前に変更することができる。ＮＬＲは、ＨＬＲのＭＳＣＩＤをＮＬＲのＭＳＣＩＤに置き換えることができる。ＮＬＲは、ローミングサービスＭＳＣにおける全ての発呼に対して、発呼インジケータ（origination indicator）を８に設定することができる。また、ＮＬＲは、宛先番号を１−８００ＤＮ識別サービス（ＤＮＩＳ）番号となるように設定することもできる。また、ＮＬＲは、着信制限コード（termination restriction code）を１に設定して、ローミングサービスＭＳＣでの着信を制限することもできる。発呼インジケータを８に設定することは、全ての発呼が単一のＮＰＡ−ＮＸＸ−ＸＸＸＸへルーティングされるようになることを意味している。ホットライン番号（１−８００ＤＮＩＳ番号）は、ワイヤレスローミング加入者のＭＩＮの予約済みの各ブロックに設定可能である。ホットライン番号は、中央８００＃ＲＳＵへと発呼をルーティングするのに利用可能である。着信制限コードが、１あるいは適切なコード番号（着信禁止）に設定されると、ワイヤレスローミング加入者に着呼が配信されなくなる。
【００３２】
そして、ＮＬＲは、ＴＣＰ／ＩＰリンクを介してローミングサーバ１１６へと、ワイヤレスローミング加入者の位置情報を送信することができる２１０。そして、ローミングサーバは、ワイヤレスローミング加入者の位置情報を更新し、次に、マーケットサーバ１２２へと加入者の位置情報を転送する２１２。そして、ローミングサーバは、位置メッセージをＮＬＲに対して確認する。なお、ＮＬＲは、Ｒｅｇｎｏｔリターン結果メッセージを、ローミングサービスＭＳＣへ戻す２１４前に、変更することができるのであった。ＮＬＲは、ＨＬＲのＭＳＣＩＤをＮＬＲのＭＳＣＩＤに置き換えることができる。また、ＮＬＲは、発呼トリガのフィールドを全ての通話試行（all-call attempts）に設定することもできる。このことにより、ワイヤレスローミング加入者が通話するときに、発呼要求メッセージをＮＬＲに呼び出すことになる。また、ＮＬＲは、着信制限コードを１あるいは他の適切なコード番号に設定して、ワイヤレスローミング加入者に着呼が配信されないように、全ての着信を拒否することができる。
【００３３】
図２の通話フロー図に従って一旦Ｒｅｇｎｏｔ処理が実行されると、ワイヤレスローミング加入者からの発呼が試行可能となる。図３は、ワイヤレスローミング加入者からの発呼のフロー図である。図３は、２段階のダイアルのみがサポートされる通信ネットワークでの発呼を表している。これは、発呼要求メッセージが完全にはサポートされていないＳＳ７ネットワーク又は類似のネットワークのバージョンによる。ワイヤレスローミング加入者は、相手の番号を入力して移動局１０４から要求された番号を送信することにより、発呼する３０２。ワイヤレスローミング加入者によるこの試行された通話は、ローミングサービスＭＳＣ１０６へルーティングされ、該ローミングサービスＭＳＣは、登録の際に受信した１−８００ＤＮＩＳ番号（ホットライン番号）をダイアルすることにより、中央８００＃ＲＳＵ（発呼ＲＳＵ）１３０へと、通話の試行をルーティングする３０４。８００＃ＲＳＵは、通話の試行を一旦受信すると、ワイヤレスローミング加入者から、要求された相手先のＤＮ及びＭＩＮを取得し３０６（第２段階のダイアルで取得してもよい）、マーケットサーバ１２２に通話の有効性について照会する３０６。通話が有効３０８であれば、マーケットサーバは、この最大通話継続時間を中央８００＃ＲＳＵ１３０に送信する。そして、中央８００＃ＲＳＵは、要求された相手の宛先のＤＮへと通話を接続する３１０。中央８００＃ＲＳＵは、通話を監視し、この通話が接続されて当該８００＃ＲＳＵへ最初にルーティングされた時から計時を開始するように、指示することができる。発呼ＭＳＣ若しくは着信の機器にて通話が切断されるとき、又は最大通話継続時間が経過したときに、通話は切り離されて切断される。
【００３４】
通話記録は、マーケットサーバへと伝達される３１２。マーケットサーバ１２２が上述のように８００＃ＲＳＵ１３０と組み合わされて利用されることの利点は、ローミングプロバイダのサービスＭＳＣに対してローカルなローミングプラットフォームを必要とせずに、リアルタイムの口座課金のために、中央８００＃ＲＳＵによって通話が監視及び管理可能となることである。
【００３５】
図４は、図２の通話フローに従ってＲｅｇｎｏｔが発生した後の通話フロー図である。図２の通話フローに従った通話登録後の発呼には、発呼要求メッセージを完全にサポートしているシステムに対しては、第２段階のダイアルが必要でない。ワイヤレスローミング加入者は、ローミングサービスＭＳＣ１０６に発呼し４０２、該ローミングサービスＭＳＣは、ＶＬＲ１１０を介してＮＬＲ１１２へと、発呼要求メッセージを送信する４０４。ＮＬＲは、ＴＣＰ／ＩＰネットワークリンクを通じてローミングサーバ１１６へと、要求された相手先の番号及びワイヤレスローミング加入者のＭＩＮを含んだメッセージを送信する４０６。次にこの情報は、ローミングサーバに格納される。ワイヤレスローミング加入者により発呼されたこの通話に対して、新しい一意的な１−８００ＤＮＩＳ番号が、ローミングサーバによって割り当てられてもよい。そして、ローミングサーバは、１−８００番号をＮＬＲへ返送する４０８。ＮＬＲは、ローミングサービスＭＳＣへと、発呼要求リターン結果メッセージにて、１−８００ＤＮＩＳ番号を転送する４１０。ローミングサービスＭＳＣは、１−８００ＤＮＩＳで８００＃ＲＳＵ１３０へと通話をルーティングすることができる４１２。８００＃ＲＳＵは、受信した１−８００ＤＮＩＳ番号の有効性を確認するため、ローミングサーバに照会する４１４。そして、ローミングサーバは、内部のデータベースで１−８００ＤＮＩＳ番号を参照して、要求された相手先にダイアルされた番号及びローミング加入者のＭＩＮを取得し、その要求を当該通話の有効性を確認するために８００＃ＲＳＵへと転送する４１６。８００＃ＲＳＵは、マーケットサーバ１２２に当該通話の有効性を確認する４１８。有効性が確認されると、マーケットサーバは、最大通話継続時間を８００＃ＲＳＵに提供する。そして、８００＃ＲＳＵは、要求された相手の宛先にダイアルされた番号へと、通話を接続する４２２。そして、８００＃ＲＳＵは、通話を監視し、この通話が接続されて当該８００＃ＲＳＵへ最初にルーティングされた時から計時を開始するように、指示することができる。発呼ＭＳＣ若しくは着信の機器にて通話が切断されるとき、又は最大通話継続時間が経過したときに、通話は切り離されて切断される。通話記録はマーケットサーバへ転送される４２４。
【００３６】
ＮＬＲ１１２及びローミングサーバ１１６を利用し、情報を取り込んで送り、通話の有効性を確認して８００＃ＲＳＵへルーティングすることの利点は、１段階のダイアルで処理が達成されることである。
【００３７】
図５は、ワイヤレスローミング加入者への着呼５０２のためのローミングサービスＭＳＣ１０６における着信すなわち通話配信の通話フロー図である。通話フローは、ローミングする加入者宛ての着呼を受信する該加入者のホームＭＳＣ１１８により開始される。ホームＭＳＣ１１８は、ワイヤレスローミング加入者、及び該加入者がサービスを受けるローミングサービスＭＳＣ１０６の位置を特定すべく、ＨＬＲ１３８へ位置特定要求メッセージを送信する。ＨＬＲは、位置特定要求のリターン結果メッセージでＤＮを返送する。ホームＭＳＣ１１８は、ＤＮでローカル口座課金システムＲＳＵ１２０へと通話をルーティングする５０４。そして、ローカルＲＳＵは、マーケットサーバ１２２に照会して５０６、通話の有効性を確認し５０８、ローミングサーバにＴＬＤＮを要求する５１０。ローミングサーバは、そのＴＬＤＮの要求をＮＬＲ１１２へ転送する５１２。そして、ＮＬＲは、ローミングサービスＭＳＣへ認定指示（ＱＵＡＬＤＩＲ：qualification directive）メッセージを送信して、通話の配信を可能にする５１４。そして、ＮＬＲは、ＳＳ７ネットワークリンクを通じて、ＴＬＤＮを要求するルーティング要求メッセージをローミングサービスＭＳＣ（ＶＬＲ）へ送信する５１４。そして、ローミングサービスＭＳＣは、ＮＬＲに対し、ＴＬＤＮを含んだＲＯＵＴＥＲＥＱリターン結果メッセージで応答する５１６。そして、ＮＬＲは、ローミングサーバへＴＬＤＮを返送する５１８。次にローミングサーバは、ＴＬＤＮをローカルＲＳＵ１２０へ転送する５２０。マーケットサーバは、最大通話継続時間を既にローカルＲＳＵに提供している。そして、ローカルＲＳＵは、ＴＬＤＮをアウトダイアル（ｏｕｔ  ｄｉａｌ）する５２２。すると、このことにより、着呼がローミングサービスＭＳＣ１０６へルーティングされる５２４。そして、ローミングサービスＭＳＣは、ローミング加入者へ着信して完結させる５２６。ＲＳＵ１２０は通話を監視し、この通話が接続されて当該ＲＳＵへ最初にルーティングされた時から計時を開始するように、指示する。発呼若しくは着呼の機器にて着呼が切断されるとき、又は最大通話継続時間が経過したときに、その通話は切り離されて切断される。通話が切断されると、ＲＳＵはローミングサーバを更新し５２８、次にローミングサーバは、ＮＬＲへ切断情報を転送する５３０。ＮＬＲは、通話の着信を禁止する５３２。
【００３８】
Ｒｅｇｎｏｔの際にＮＬＲはＶＬＲによりＨＬＲとして識別されるため、ローミングサービスＭＳＣはＮＬＲにＨＬＲであるように登録することが、利点である。ＮＬＲは、ローミング側のＭＩＮを参照することにより、実際のＨＬＲを識別することができる。そして、ＮＬＲは、実際のＨＬＲと交信することができ、実際のＨＬＲに対し、ローミングサービスＭＳＣＩＤの代わりにＮＬＲのＭＳＣＩＤを提供することにより、自身（ＮＬＲ）を、ローミング側にサービスするＶＬＲとして識別させることになる。従って、ＨＬＲは、ＮＬＲをローミング側にサービスするＶＬＲとして認識する。また、ＮＬＲは、Ｒｅｇｎｏｔの際に、ローミングサーバ及びマーケットサーバと交信し、ローミング側の位置を特定する。ここで、ＮＬＲは、ローミング側の通信を取り扱うことに関する焦点となっている。このことにより、ローミング加入者が、あるＭＳＣから次へと移行する際のシームレスなローミングが実現する。
【００３９】
図６に、ローミング登録のインターフェースメッセージ・シーケンス６００を示す。なお、図６に概略が示されたインタフェースメッセージ・シーケンスを考察する前に、まず、ＮＬＲのデータベースにリストアップされていないワイヤレスローミング加入者の全てのメッセージは、Ｒｅｇｎｏｔメッセージの変更なしにＨＬＲへ直接転送されることに留意されたい。リストアップされていない加入者の状況は、図６のインタフェースメッセージ・シーケンスが反映されるものではない。図６は、ワイヤレスローミング加入者がＮＬＲにリストアップされているインタフェースメッセージ・シーケンスを反映している。
【００４０】
シーケンスにおける第１のインタフェースメッセージは、ワイヤレスローミング加入者が電話の電源を投入した時に発生する６１４。なお、その時に加入者の移動局は、サービスＭＳＣ６０２へ加入者のＭＩＮを提供する。サービスＭＳＣ６０２は、加入者のＭＩＮ及びローミングサービスＭＳＣＩＤが含まれたＲｅｇｎｏｔメッセージを、ＳＳ７ネットワークを通じてＮＬＲへ送信する。Ｒｅｇｎｏｔメッセージを受信すると、ＮＬＲは、内部のデータベースでＭＩＮを参照し、その加入者がリストアップされた加入者であるかどうか認識する。リストアップされた加入者に対しては、ＮＬＲは、サービスＭＳＣＩＤ及びポイントコードを、ＮＬＲのＭＳＣＩＤ及びポイントコードに置き換えて、ＲｅｇｎｏｔメッセージをＨＬＲ６０６へ転送する６１７。なお、加入者がリストアップされたワイヤレス加入者でなければ、ＮＬＲは、メッセージを変更せずに直接ＨＬＲへ転送することになる。そして、ＨＬＲは、ＮＬＲに対して、Ｒｅｇｎｏｔリターン結果メッセージで応答する６１８。そして、ＮＬＲは、ＴＣＰ／ＩＰインタフェースを通じてＮＴＣローミングサーバ６０８へ、位置通知メッセージにて位置情報を送信する６２０。そして、ローミングサーバ６０８は、位置通知確認メッセージをＮＬＲ６０４へ返信する６２２。ローミングサーバ６０８は、位置情報を更新し、ＭＳＣＩＤをＲＳＵ６１０へ送信し６２４、次にＲＳＵ６１０がＭＳＣＩＤをマーケットサーバ６１２へ送信することにより、位置情報をマーケットサーバへ転送する。２段階のダイアルが必要なネットワークにおいて、ＮＬＲは、Ｒｅｇｎｏｔリターン結果メッセージを、サービスＭＳＣへ転送する前に以下のように変更する。第１に、ＮＬＲは、ＨＬＲのＭＳＣＩＤをＮＬＲのＭＳＣＩＤに置き換える。第２に、ＮＬＲは、発呼インジケータを全ての発呼指示に設定する。第３に、ＮＬＲは、宛先の番号を１−８００ＤＮＩＳ番号に設定する。第４に、ＮＬＲは、着信制限コードが着信禁止を示すように設定する。１段階のダイアルでは、ＮＬＲは、Ｒｅｇｎｏｔリターン結果メッセージを、サービスＭＳＣへ転送する前に、以下のように変更する。なお、ＨＬＲのＭＳＣＩＤは、ＮＬＲのＭＳＣＩＤに置き換えられるのであった。ＮＬＲは、発呼トリガフィールドを全ての通話試行に設定する。さらに、ＮＬＲは、着信制限コードを、着信禁止を示すように設定する。なお、発呼トリガを全ての通話に設定すると、ワイヤレスローミング加入者が通話をするときに、ＮＬＲへと発呼要求メッセージを実行することになる。ＮＬＲは、内部の一時テーブルを、発呼トリガをサポート可能なＭＳＣを識別するように管理している。
【００４１】
図６のインタフェースメソッドがローミングＲｅｇｎｏｔのために一旦実行されると、ワイヤレスローミング加入者からのローミング発呼がなされうる。図６のＲｅｇｎｏｔシーケンス実行後の発呼のための２段階のダイアルを要するローミング発呼用のインタフェースメッセージ・シーケンス７００を、図７に示す。ローミングサービスＭＳＣ７０４にて、ワイヤレスローミング加入者が発呼すると７０２、インタフェースメッセージ・シーケンスが開始する。ローミングサービスＭＳＣは、中央８００＃ＲＳＵ７０６を通じて１−８００ＤＮＩＳでローミング発呼を処理する７０８。１−８００ＤＮＩＳは、図６に示すＲｅｇｎｏｔ処理の際に挿入されている。８００＃ＲＳＵ（発呼ＲＳＵ）７０６は、第２のダイアルトーンを提供する７１０。これは、着信側への通話接続用に、宛先の番号を取り込む７１２ためである。そして、８００＃ＲＳＵは、マーケットサーバ７１２に格付け要求メッセージで、通話の有効性を照会する７１６。格付け要求メッセージにより、ワイヤレスローミング加入者のＭＩＮ及び相手先の番号が得られる。マーケットサーバは、通話の有効性を確認した場合、８００＃ＲＳＵへと、最大通話継続時間が含まれた格付け要求応答メッセージを返送する７１８。そして、中央８００＃ＲＳＵは、着信側の宛先ＤＮへと通話を接続する７２０。８００＃ＲＳＵは、料金を決定するために通話を監視する７２２。
【００４２】
なお、ＮＬＲ及びローミングサーバ間の接続は、アクティブな接続が確保されるように監視される必要がある。このため、ＴＣＰ／ＩＰネットワークリンクを介してのローミングサーバ及びＮＬＲ間のインタフェースプロトコルがある。このインタフェースプロトコルは、ＮＬＲ及びローミングサーバ間のアクティブな接続を監視するために設計されたものである。インタフェースを監視するインタフェースプロトコルは、ＮＬＲによって開始される。ＮＬＲは、アクティブ接続ステータスチェックをローミングサーバへ送信することにより、ＴＣＰ／ＩＰネットワークリンクをオープンする。ＮＬＲは、所定の時間間隔でアクティブ接続ステータスチェックメッセージを送信するようになっている。ＮＬＲは、該ＮＬＲのアクティブ接続ステータスチェックメッセージで、ＳＳ７リンク、データベース、及びアプリケーションの状態をローミングサーバに報告するようになっている。ローミングサーバは、アクティブ接続ステータスチェックメッセージに、アクティブ接続を示す応答メッセージで応答するようになっている。ローミングサーバは、一定時間内に応答メッセージを返送するようになっている。ＮＬＲは、その一定時間内にローミングサーバから応答メッセージが得られなければ、アクティブ接続をクローズし、ローミングサーバに対する再接続を試行する。この試行が失敗すると、ＮＬＲは、一定の時間間隔で再度試行する。応答時間間隔及び再試行間隔は、ＮＬＲにより設定可能なパラメータである。
【００４３】
図８に、ワイヤレスローミング発呼８００ネットワーク環境のためのインタフェースメッセージ・シーケンスを示す。ローミング発呼が発生するとそれに対して、このワイヤレスローミング加入者のためのＶＬＲは、Ｒｅｇｎｏｔ処理の際に発呼トリガが全ての通話に設定される。ワイヤレスローミング加入者が所望の相手の番号をダイアルして、ローミングサービスＭＳＣ８０４へ、ダイアルされた数字とともに発呼メッセージを送信すると８０２、発呼が発生する。そして、ローミングサービスＭＳＣは、ＮＬＲ８０８へ、ダイアルされた着信側の数字が含まれた発呼要求メッセージを送信する８０６。そして、ＮＬＲは、ローミングサーバ８１２へ、ダイアルされた着信側の数字とともにルーティング情報メッセージを送信する８１０。そして、ローミングサーバは、一時的な１−８００ＤＮＩＳをワイヤレスローミング加入者に割り当て、その１−８００ＤＮＩＳを、発呼要求メッセージで受信したダイアルされた着信側の数字とともに格納する。そして、ローミングサーバは、ＮＬＲに対して、ダイアルされた着信側の数字とともに１−８００ＤＮＩＳを含んだルーティング情報応答メッセージで応答する８１４。そして、ＮＬＲは、ローミングサービスＭＳＣ８０４に対して、宛先の番号として１−８００ＤＮＩＳを含んだ発呼要求リターン結果メッセージで応答する８１６。そして、ローミングサービスＭＳＣ８０４は、ローミングサーバに割り当てられた１−８００ＤＮＩＳで、８００＃ＲＳＵ（発呼ＲＳＵ）８２４に接続する。ＮＬＲは、ローミングサーバから、所定時間内にルーティング情報応答メッセージ８２０を受信できない場合、そのルーティング情報応答メッセージを再度得るべく試行し、１−８００ＤＮＩＳを発呼要求リターン結果のルーティング数字に入れる。ローミングサーバは、８００＃ＲＳＵ８２４へ、ＭＩＮ、ダイアルされた番号、及びＭＳＣＩＤを送信する８２２。８００＃ＲＳＵ８２４は、該８００＃ＲＳＵ８２４からマーケットサーバ８２８へ、ワイヤレスローミング加入者のＭＩＮ及びダイアルされた番号が含まれた格付け要求メッセージを送信する８２６。マーケットサーバは、通話の有効性を調べ、当該通話の有効性が確認された場合、最大通話継続時間をダイアルされた着信側の数字とともに含む格付け要求応答にて応答する８３０。そして、８００＃ＲＳＵは、発呼側を着信側に接続する８３２。８００＃ＲＳＵは、料金決定のために通話を監視してマーケットサーバへ送信する８３４。
【００４４】
図９に、ローミングサービスＭＳＣにおけるワイヤレスローミング加入者に対する着呼のホームＭＳＣでの伝達のインタフェースメッセージ・シーケンスを示す。通話配信インタフェースメッセージ・シーケンス９００は、ホームＭＳＣ９０４における着呼９０２により開始される。ホームＭＳＣは、ワイヤレスローミング加入者の位置を特定しようと試みる。ＨＬＲは、ホームＭＳＣに対して、ローカルＲＳＵへの接続情報を含む位置特定要求応答メッセージにて応答する。そして、ホームＭＳＣは、ＤＮで口座課金システムＲＳＵ９０８に接続する９０６。すると、口座課金システムＲＳＵは、マーケットサーバ９１２へ、ＭＩＮと通話の有効性確認のためのダイアルされた番号とを含んだ格付け要求メッセージを送信する９１０。有効性が確認された場合、マーケットサーバはＭＳＣＩＤをローカルＲＳＵ９０８へ返信する。ＴＬＤＮを要求するルーティング要求メッセージ９１６が、ローミングサーバ９１８へ送信される。すると、ローミングサーバ９１８は、ＮＬＲに対して、ルーティング要求メッセージでＴＬＤＮを要求する９２０。ＮＬＲ９２２は、ローミングサービスＭＳＣ９２６へＱＵＡＬＤＩＲメッセージを送信して９２４、ワイヤレスローミング加入者への通話を着信可能とする。ＱＵＡＬＤＩＲ応答メッセージ９２８が、ローミングサービスＭＳＣからＮＬＲへ返信される。そして、ＮＬＲは、ＲＯＵＴＥＲＥＱメッセージ９３０を用いてローミングサービスＭＳＣからＴＬＤＮを取得する。ローミングサービスＭＳＣからＲＯＵＴＥＲＥＱリターン結果メッセージ９３２を受信すると、ＮＬＲは、ルーティング要求応答メッセージ９３４をＴＬＤＮとともに、ローミングサーバへ送信する。そして、ローミングサーバは、ＲＳＵ９０８へ、ＴＬＤＮが含まれたルーティング要求応答メッセージを送信する９３６。次に、ホームＭＳＣ９０４へと、ルーティング要求応答メッセージが送信される９３８。そして、ローカルＲＳＵは、ローミングサービスＭＳＣで着信して通話を成立させることにより、ワイヤレスローミング加入者への接続を行う９４０。
【００４５】
ホームＭＳＣでの通話切断又はローミングサーバでの切断９４４により、通話は切り離されて切断される９４２。ローカル課金ＲＳＵにより、通話料金が決定する９４６。
【００４６】
図１０に、移動局の電源が切断されて機能停止したときに発生する信号シーケンス１０００を示す。電源切断信号１００２が、サービスＭＳＣ１００４へ送信される。サービスＭＳＣは、移動局の機能停止信号１００６をＮＬＲ１００８へ送信する。そして、ＮＬＲは、位置通知信号１０１０をローミングサーバ１０１２へ送信する。そして、ローミングサーバ１０１２は、位置通知確認メッセージ１０１４で応答する。そして、ＮＬＲ１００８は、ＨＬＲ１０１６に、移動局機能停止信号１０１８を通知する。移動局機能停止リターン信号１０２０が、ＨＬＲからＮＬＲへ返信され、ＮＬＲは、この移動局機能停止リターン信号１０２０を、サービスＭＳＣへ転送する。
【００４７】
図１１に、一括での登録解除のシーケンス１１００を示す。一括での登録解除は、サービスＭＳＣ１１０２により開始される。サービスＭＳＣ１１０２は、一括登録解除信号１１０４をＮＬＲ１１０６へ送信する。ＮＬＲは、一括登録解除リターン信号１１０８で応答する。そして、ＮＬＲは、一括登録解除に含まれた各加入者の位置通知信号１１１０を、ローミングサーバ１１１２へ送信する。ローミングサーバは、位置通知確認信号１１１４をＮＬＲへ返信する。そして、ＮＬＲは、一括登録解除における各加入者の移動局機能停止信号１１１６を、ＨＬＲ１１１８へ返信する。そして、ＨＬＲは、移動局機能停止リターン信号１１２０をＮＬＲへ送信する。
【００４８】
図１２に、新たなサービスＭＳＣへの再登録のメッセージ・シーケンス１２００を示す。このシーケンスは、新サービスＭＳＣ１２０１により開始される。新サービスＭＳＣ１２０１は、ＮＬＲ１２０２へ登録通知１２０４を送信する。ＮＬＲは、Ｒｅｇｎｏｔを変更して、登録通知メッセージ１２０５を、ＨＬＲ１２０６へ送信する。そして、ＨＬＲは、登録通知リターンメッセージ１２０８をＮＬＲへ送信し、ＮＬＲは、このメッセージを新サービスＭＳＣへ転送する。そして、ＮＬＲ１２０２は、位置通知メッセージ１２０９を、ローミングサーバ１２１０へ送信する。そして、ローミングサーバは、位置通知確認メッセージ１２１２をＮＬＲ１２０２へ返信する。また、ローミングサーバ１２１０は、位置通知メッセージをマーケットサーバ１２１４へも転送し、該マーケットサーバは、位置通知確認メッセージ１２１６で応答する。そして、ＮＬＲは、登録抹消メッセージ１２１８を旧サービスＭＳＣ１２２０へ送信する。すると、旧サービスＭＳＣは、登録抹消リターンメッセージ１２２２で応答する。
【００４９】
図１３に、ホームマーケットでの再登録のメッセージ・シーケンス１３００を示す。このシーケンスは、ホームＭＳＣ１３０２が登録通知メッセージ１３０４をＨＬＲ１３０６へ送信することにより、開始される。そして、ＨＬＲは、登録抹消メッセージ１３０８を、ＮＬＲ１３１０へ送信する。そして、この登録抹消メッセージは、サービスＭＳＣ１３１１へ転送される。すると、サービスＭＳＣ１３１１は、登録抹消リターンメッセージ１３１２をＮＬＲへ返信する。そして、ＮＬＲは、登録抹消リターンメッセージをＨＬＲ１３０６へ返信する。そして、ＨＬＲは、登録通知リターンメッセージ１３１４をホームＭＳＣ１３０２へ送信する。
【００５０】
上記の様々な通話フロー例は、ローミングソリューションの多くの新規な側面を説明している。本発明を利用する者は、上記の通話フローの任意のもの又はそれに均等なものを、所望の応用形態に応じて選択すればよい。このことを考慮すると、本ローミングソリューションの様々な形態が、本発明の真意及び範囲から外れることなく利用されうることが理解されよう。
【００５１】
以上の記述から明らかなように、本発明の実施形態は、ここに説明した事例の具体的な詳細内容に限定されるものではない。このため、他の変形及び応用又はそれに均等なものが当業者に思い浮かぶものと考えられる。従って、特許請求の範囲は、本発明の真意及び範囲から外れていないこのような変形及び応用を含むということを意図している。
【００５２】
本発明の他の実施形態、目的、及び利点は、図面、開示内容、及び特許請求の範囲を検討することにより得られるであろう。
【００５３】
ＮＬＣワイヤレスローミングソリューション（ｉＲｏａｍ）
構成及びインタフェース
サービスプランニング案内（ＳＳＰ）ドキュメント
発行番号：１．０
発行日：１９９９年１０月１８日
文書番号：ＳＰＰ−ＮＴＣＷＰＳ−００１
要約：本文書では、ＮＴＣワイヤレスローミングソリューション（ｉＲｏａｍ）リリース１乃至３に必要な構成及びインタフェースが記述されている。
【００５４】
部外秘かつ権利下にある情報−非公開
本文書及びその中の情報は、ＮＴＣ及びLucent Technologiesの権利下にある機密の資産であり、その全体又は一部について、ＮＴＣ及びLucent Technologiesの文書による承諾なしに複写、複製、利用、又は開示されてはならない。本文書及びその中の情報は、供給された際の目的のためのみに利用されるべきである。
【００５５】
目次
１．概説−−−−−−−−−−−−−−−−−−−−−−−−−−−−−−−１
１．１．はじめに−−−−−−−−−−−−−−−−−−−−−−−−−−１
１．２．範囲−−−−−−−−−−−−−−−−−−−−−−−−−−−−１
１．２．１．ローミング発呼（２回目のダイアル有）リリース１−−−−１
１．２．２．ローミング発呼（２回目のダイアル無）リリース２−−−−１
１．２．３．ローミング着信・リリース３−−−−−−−−−−−−−−２
１．３．前提条件−−−−−−−−−−−−−−−−−−−−−−−−−−２
２．ネットワーク構成−−−−−−−−−−−−−−−−−−−−−−−−−４
３．通話シナリオ−−−−−−−−−−−−−−−−−−−−−−−−−−−６
３．１．はじめに−−−−−−−−−−−−−−−−−−−−−−−−−−６
３．２．リリース１−−−−−−−−−−−−−−−−−−−−−−−−−６
３．２．１．登録（ホットラインＤＮ）−−−−−−−−−−−−−−−６
３．２．２．  ２回目のダイアル有の発呼−−−−−−−−−−−−−−７
３．３．リリース２−−−−−−−−−−−−−−−−−−−−−−−−−８
登録（発呼トリガ）−−−−−−−−−−−−−−−−−−−−−−−−８
３．２．２．  ２回目のダイアル無の発呼−−−−−−−−−−−−−−９
３．４．着信−−−−−−−−−−−−−−−−−−−−−−−−−−−１０
４．インタフェース及びタグ付けされた要件−−−−−−−−−−−−−−１２
４．１．リリース１−−−−−−−−−−−−−−−−−−−−−−−−１２
４．１．１．ローミング登録（２回目のダイアル）−−−−−−−−−１２
４．１．２．ローミング発呼（２回目のダイアル）−−−−−−−−−１３
４．２．リリース２−−−−−−−−−−−−−−−−−−−−−−−−１３
４．２．１．iRroam サーバ及びNLR間のハートビート(NLRで開始) −−１４
４．２．２．ローミング登録（発呼トリガ）−−−−−−−−−−−−１５
４．２．３．ローミング発呼（２回目のダイアル無）−−−−−−−−１６
４．３．リリース３−−−−−−−−−−−−−−−−−−−−−−−−１７
４．３．１．iRoam サーバ及びNLR間のハートビート（iRoamで開始）−１７
４．３．２．着信−−−−−−−−−−−−−−−−−−−−−−−−１８
５．メッセージフォーマット定義−−−−−−−−−−−−−−−−−−−２０
５．１．リリース１−−−−−−−−−−−−−−−−−−−−−−−−２０
５．２．リリース２−−−−−−−−−−−−−−−−−−−−−−−−２０
５．２．１  NLR_Heart_Beat(NLR=>iRoam Server) −−−−−−−−−２０
５．２．２  NLR_Heart_Beat_Reply(iRoam Server=> NLR)−−−−−−２０
５．２．３  Loc_Notfication(NLR=>iRoam Server)−−−−−−−−−２０
５．２．４  Loc_Notfication_Confirm(iRoam Server=> NLR) −−−−２１
５．２．５  Routing_Info(NLR=>iRoam Server) −−−−−−−−−−２１
５．２．６  Routing_Info_Response(iRoam Server=> NLR) −−−−−２１
５．３．リリース３−−−−−−−−−−−−−−−−−−−−−−−−２１
５．３．１  iRoam_Heart_Beat(iRoam Server=> NLR)  −−−−−−−２１
５．３．２  iRoam_Heart_Beat_Reply(NLR=>iRoam Server) −−−−−２２
５．３．３  Routing_Request(iRoam Server=> NLR) −−−−−−−−２２
５．３．４  Routing_Request_Response−−−−−−−−−−−−−−２２
５．３．５  Disconnect_Indication −−−−−−−−−−−−−−−２２
５．３．６  Disconnect_Indication_Confirm −−−−−−−−−−−２２
１．概説
この構成及びインタフェース要求仕様書に規定されたＮＴＣワイヤレスローミングソリューション（ｉＲｏａｍ）は、Lucent INgage ロケーションレジスタ（ＩＬＲ）の改良版を利用している。このＩＬＲは、NTC iRoam サーバ及びリモート交換ユニット（ＲＳＵ）のインタフェースとなり、ＮＴＣのワイヤレス前払い加入者にローミングソリューションを提供する。本文書において、Lucent INgage ロケーションレジスタ（ＩＬＲ）の改良版を、ＮＴＣロケーションレジスタ（ＮＬＲ）と称する。
【００５６】
１．１．はじめに
本文書には、ＮＴＣワイヤレスローミングソリューション（ｉＲｏａｍ）リリース１乃至３の構成及びインタフェース要求仕様が、含まれている。ＮＴＣマーケットサーバ及びリモート交換ユニット（ＲＳＵ）等のように、新しいアプリケーションソフトウェア（ＮＴＣロケーションレジスタ（ＮＬＲ））の追加、及び既存のネットワーク構成要素に対するインタフェースの多くの変更が、含まれることになる。他の新しいネットワーク構成要素としては、NTC iRoam サーバ及び８００＃ＲＳＵ（中央配置）等がある。
【００５７】
１．２．範囲
ＮＴＣワイヤレスローミングソリューション（ｉＲｏａｍ）は、以下の３つのリリースが提供されている。
【００５８】
１．２．１．ローミング発呼（２回目のダイアル有）リリース１
本リリースは、ＮＴＣフェーズ１ iRoam 製品をサポートしている。ワイヤレス前払いローミング（ＷＰＲ）加入者からの発呼は、中央８００＃ＲＳＵからの第２のダイアルトーンによりサポートされ、通話完結情報（加入者のＭＩＮ、着信側のＤＮ、及びＰＩＮ番号（必要であれば））を収集する。ＮＬＲソフトウェアは、ローミングＷＰＲ加入者の登録に関するサービスＭＳＣへのｒｅｇｎｏｔ応答メッセージにて「ホットラインＤＮ」を提供するのに用いられる。「ホットラインＤＮ」は、中央８００＃ＲＳＵに割り当てられる。なお、この中央８００＃ＲＳＵへと、全ての発呼がバックホール（ｂａｃｋ  ｈａｕｌ）される。ローミングＷＰＲ加入者への着信は、本リリースでは許可されていない。これは、ＮＬＲソフトウェアが、ｒｅｇｎｏｔ応答メッセージで、着信制限コードを禁止に設定することによりなされる。
【００５９】
１．２．２．ローミング発呼（２回目のダイアル無）リリース２
本リリースは、ＮＴＣフェーズ２ iRoam 製品をサポートする。リリース２のＮＬＲソフトウェアは、リリース１のＮＬＲソフトウェアの全機能をサポートしている。そのうえ、リリース１と同様にＷＰＲ加入者からの全ての発呼がサポートされつつも、第２のダイアルが必要でない。登録処理の際に、ＮＬＲソフトウェアは、サービスＭＳＣＩＤを取り込み、これを、後でなされる発呼の格付けで使用するため、ＮＴＣ iRoam サーバに提供する。さらに、発呼の際に、ＮＬＲソフトウェアは、発呼側の加入者のＭＩＮ及びダイアルされた番号（すなわち着信側の番号）を取り込む。これらは、後で中央８００＃リモート交換ユニット（ＲＳＵ）が着信側への通話を設定するのに使用するために、ＮＴＣ iRoam サーバに提供される。それに応じて、ＮＬＲソフトウェアは、サービスＭＳＣが発呼をＮＴＣ８００＃ＲＳＵへ延長するのに用いるために、ユニークなＤＮを受信する。サービスＭＳＣ及びＮＬＲソフトウェア間の連携は、ＡＮＳＩ−４１ ＯＲＲＥＱメッセージ及び応答を用いてなされる。ＮＬＲソフトウェアでは、サービスＭＳＣ毎に、該サービスＭＳＣにＮＬＲソフトウェアのどのリリースを適用するかを指定する仮の選択が可能である。リリース１と同様、ＷＰＲ加入者への通話の着信は禁止されている。
【００６０】
１．２．３．ローミング通話配信・リリース３
本リリースは、ＮＴＣフェーズ３ iRoam 製品をサポートする。リリース３のＮＬＲソフトウェアは、リリース２のＮＬＲソフトウェアの全機能をサポートしている。そのうえ、リリース３は、ＷＰＲ加入者への通話配信をサポートしている。ホームＭＳＣにおいてＷＰＲ加入者へと着呼が到達すると、ＭＳＣは、その着呼をローカルＮＴＣ・ＲＳＵへルーティングする。ＲＳＵはマーケットサーバに照会を行い、マーケットサーバは iRoam サーバにＴＬＤＮを要求する。iRoam サーバは、この要求をＮＬＲへ転送する。次に、ＮＴＣ iRoam サーバからの要求があると、ＮＬＲソフトウェアは、ＲＯＵＴＥＲＥＱメッセージ及び応答を用いて、サービスＭＳＣからＴＬＤＮを取得する。ＮＴＣ iRoam サーバと連動しているローカルＲＳＵは、このＴＬＤＮを用いて、サービスＭＳＣに対してＷＰＲ加入者宛てに発呼する。応答があると、発呼者からローカルＲＳＵへ及びこのローカルＲＳＵから着信側のＷＰＲ加入者への通話セグメントが、当該ローカルＲＳＵにおいて接続される。
【００６１】
サービスＭＳＣにおけるローミング側のポートアクセスによるもの等の不正な着信制御は、ＮＬＲソフトウェアにより防止される。リリース１及び２のように、ＮＬＲソフトウェアは、登録の際にＷＰＲ加入者への通話の着信を禁止する。しかし、ＷＰＲへの着呼が受信されると、ＮＬＲソフトウェアは、サービスＭＳＣへＱＵＡＬＤＩＲメッセージを送信して、ＷＰＲ加入者への通話の着信を可能とする。通話が切断されると、ＮＴＣ iRoam サーバは、ＮＬＲソフトウェアに通知する。すると、ＮＬＲソフトウェアは、ＷＰＲ加入者への通話の着信を禁止する。
【００６２】
１．３．前提条件
ＮＴＣワイヤレスローミングソリューション（ｉＲｏａｍ）には以下のことを前提としている。
【００６３】
・ＮＬＲはＳＵＮのプラットフォームで実行されるべく、設計されコンパイルされている。
【００６４】
・ＮＬＲ及びＮＴＣ iRoam サーバ間の接続は、ＴＣＰ／ＩＰである。
【００６５】
・ＷＰＲ加入者の移動識別番号（ＭＩＮ）は、予約済みのＮＰＡ−ＮＸＸ（通常、ＳＳ７ネットワークの制限でＤＮを１０，０００ブロック）から割り当てられる。
【００６６】
・ローミングＭＳＣ又はそのＳＳ７ネットワーク（ＳＴＰ）が、予約済みのＮＰＡ−ＮＸＸについてＮＬＲをＨＬＲと定義するグローブタイトル変換規則（Globe Title Translation Rule）に対応していることが、前提になっている。
【００６７】
・ホームＭＳＣからのＩＳ−４１メッセージは、一切、ＮＬＲに到達しない。
【００６８】
・リリース１の発呼及びリリース３の着信呼には、ＩＳ−４１Ｂ及び／又はそれ以上のものが必要である。
【００６９】
・発呼トリガを用いるリリース２の発呼には、ＩＳ−４１Ｃ及び／又はそれ以上のものが必要である。
【００７０】
・ＷＰＲ加入者は、自身の移動識別番号（ＭＩＮ）で識別される。
【００７１】
・リリース２におけるＷＰＲ加入者の登録の際、ＮＬＲソフトウェアは、内部テーブルを参照して、サービスＭＳＣが発呼トリガをサポートしているどうかを認識する。このテーブルにサービスＭＳＣＩＤがなかった場合、ＮＬＲソフトウェアは、ＲＥＧＮＯＴメッセージにあるＴｒａｎｓＣａｐパラメータのみに基づいて、発呼トリガを読み込む。
【００７２】
・ワイヤレス前払いローミング（ＷＰＲ）加入者と、非ＷＰＲ加入者とは、予約済みの１００ブロックのＭＩＮにおいては共存しない。
【００７３】
・ＮＬＲは、ＷＰＲ加入者が、自身のホームＭＳＣからサービスＭＳＣ（非ローミングからローミング）へのハンドオフ、又はサービスＭＳＣから自身のホームＭＳＣ（ローミングから非ローミング）へのハンドオフすることを、単一の通話事例内では考慮しない。ＷＰＲ加入者の位置は、登録時に確立される。
【００７４】
・ＷＰＲ加入者の位置変更となりうるローミングハンドオフに起因して、ＮＬＲによりなされる動作は存在しない。ハンドオフは、ＩＬＲソフトウェアに対してトランスペアレントである。ＷＰＲ加入者のローミング位置は、登録時に確立される。
２．ネットワーク構成
ＮＴＣワイヤレスローミングソリューション（ｉＲｏａｍ）のネットワーク構成を Figure 1 に示す。サービスは、以下のネットワーク構成要素から構成されている。
【００７５】
・ＮＴＣ iRoam サーバ：ＮＬＲ及びＮＴＣマーケットサーバ間のゲートウェイ。
【００７６】
・ＮＴＣマーケットサーバ：ＮＴＣ格付けエンジン及び加入者データベースが存在する構成要素。
【００７７】
・ＮＴＣローカルリモート交換ユニット（ＲＳＵ）：付加的な交換ユニットであり、前払い通話を管理する。
【００７８】
・ＮＴＣ８００＃リモート交換ユニット（８００＃ＲＳＵ）：ローミングＷＰＲ発呼がバックホールされる構成要素。
【００７９】
・ＮＴＣロケーションレジスタ（ＮＬＲ）：Lucent ILR の改良版であり、ＷＰＲ加入者の位置情報を追跡する。
【００８０】
・ＨＬＲ：加入者プロファイル情報を提供する。ホームロケーションレジスタ（ＨＬＲ）は、ＩＳ−４１ネットワークの既存の構成要素である。
【００８１】
・ホーム／ローミングＭＳＣ：ＷＰＲ加入者の発呼及び着呼のための伝送及び変換のサポートを提供する。これには、ホーム移動通信交換局及びいくつかのサービス移動通信交換局が含まれていてもよい。これらは、既存のＩＳ−４１ネットワークの構成要素である。
【００８２】
Figure 1. ネットワーク構成
【００８３】
【表１】
0004452874.tif 000002
【００８４】
ローミングＭＳＣからの全てのＩＳ−４１メッセージは、ＳＳ７ネットワークを通じてＮＬＲへルーティングされる。ＮＬＲは、位置情報（すなわち、ＭＳＣＩＤ、位置領域ＩＤ等）を抽出して、内部のデータベースに格納する。また、ＮＬＲは、ｒｅｇｎｏｔリターン結果メッセージ中のいくつかのＰＲＯＦＩＬＥパラメータを変更して、ローミングＷＰＲ加入者が発呼及び着呼可能としてもよい。ＮＬＲは、ＴＣＰ／ＩＰネットワークを通じてＮＴＣ iRoam サーバへ、位置情報を送信する。
３．通話シナリオ
３．１．はじめに
以下の通話シナリオは、ネットワーク及びネットワーク構成要素の例として提示されている。これらは、ＮＴＣワイヤレス前払いサービス（ｉＲｏａｍ）を提供するために動作するものである。このシナリオは３つのそれぞれのリリースに応じて記述される。
【００８５】
・リリース１−登録（ホットラインＤＮ）：ホットラインＤＮでＷＰＲローミング加入者を登録。
【００８６】
・リリース１−第２のダイアルトーンで発呼：ホットラインＤＮでのローミング発呼。
【００８７】
・リリース２−登録（発呼トリガ）：ローミングＷＰＲ加入者の発呼トリガでの登録。
【００８８】
・リリース２−第２のダイアルトーン無しで発呼：発呼トリガでの発呼。
【００８９】
・リリース３−着信：ローミング加入者への通話の配信。
【００９０】
３．２．リリース１
３．２．１．登録（ホットラインＤＮ）
Figure 2 に概要が示された以下のステップは、リリース１での登録処理の通話フローを説明している。
【００９１】
Figure 2. リリース１での登録処理
【００９２】
【表２】
0004452874.tif 000003
【００９３】
（１）ローミングＷＰＲ加入者が電話の電源を投入する。
【００９４】
（２）サービスＭＳＣが、登録通知（ＲＥＧＮＯＴ）メッセージを、ＳＳ７ネットワークを通じて信号転送ポイント（ＳＴＰ）へ送信する。ＳＴＰは、予約済みの１００００ブロックのＭＩＮについて、ＮＬＲポイントコードをＨＬＲとして識別するように構成されており、ＲＥＧＮＯＴをＮＬＲへルーティングする。
【００９５】
（３）ＲＥＧＮＯＴメッセージを受信すると、ＮＬＲは、内部データベースでＭＩＮを参照し、当該加入者がＷＰＲ加入者であるかどうかを認識する。ＷＰＲ加入者に対しては、ＮＬＲは、サービスＭＳＣＩＤをＮＬＲに置き換え、ＨＬＲの直接ポイントコードを用いて、ＲＥＧＮＯＴメッセージをＨＬＲへ転送する。加入者がＷＰＲ加入者でなければ、ＮＬＲは、メッセージを変更することなく直接ＨＬＲへ転送する。
【００９６】
（４）ＨＬＲは、ＳＳ７ネットワークを通じてＮＬＲに対して、ｒｅｇｎｏｔリターン結果メッセージで応答する。
【００９７】
（５）ＮＬＲは、ｒｅｇｎｏｔリターン結果メッセージを、サービスＭＳＣへ転送する前に、以下のステップに従って変更する。
【００９８】
・ＨＬＲのＭＳＣＩＤをＮＬＲのＭＳＣＩＤに置換
・発呼インジケータを８に設定（全ての発呼）
・番号（相手先）を１−８００ダイアル番号識別サービス（ＤＮＩＳ：Dialed Number Identification Service）番号に設定
・着信制限コードを１に設定（着信禁止）
なお、発呼インジケータを８に設定することは、全ての発呼が単一のＮＰＡ−ＮＸＸ−ＸＸＸＸへルーティングされることを意味する。ホットライン番号（１−８００ＤＮＩＳ番号）は、ＷＰＲのＭＩＮにおける予約済みの１００ブロック毎に、設定可能である。発呼を中央８００＃ＲＳＵへルーティングすることが利用されている。着信制限コードが１（着信禁止）に設定されているので、ＷＰＲ加入者へ着呼が伝達されなくなる。
【００９９】
３．２．２．  ２回目のダイアル有の発呼
Figure 3 に概要が示された以下のステップは、リリース１での発呼の通話フローを説明している。
【０１００】
Figure 3. リリース１での発呼
【０１０１】
【表３】
0004452874.tif 000004
【０１０２】
（１）ＷＰＲ加入者は発呼を試行する。
【０１０３】
（２）発呼の試行は、サービスＭＳＣから中央８００＃ＲＳＵへと、１−８００ＤＮＩＳ番号（ホットライン番号）をダイアルすることによりルーティングされる。
【０１０４】
（３）ＲＳＵは、通話を一旦受信すると、ダイアルされた番号及びＭＩＮをＷＰＲ加入者から収集し（第２段階ダイアル）、ＮＴＣマーケットサーバに通話の有効性を照会する。
【０１０５】
（４）有効性が確認されると、ＮＴＣマーケットサーバは、この最大通話継続時間を中央８００＃ＲＳＵへ送信する。
【０１０６】
（５）中央８００＃ＲＳＵは、通話を相手先（ダイアルされた番号）へ接続する。中央８００＃ＲＳＵは、ハードウェア応答監視で、通話が接続されて該通話が最初に８００＃ＲＳＵへルーティングされた時から計時を開始することを指示するように通話を監視する。通話が発呼若しくは着信機器で切断されるか、又は最大通話継続時間が経過すると、通話は切り離されて切断される。
【０１０７】
３．３．リリース２
３．３．１．登録（発呼トリガ）
Figure 4 に概要が示された以下のステップは、リリース２での通話登録の通話フローを説明している。
【０１０８】
Figure 4. リリース２での登録処理
【０１０９】
【表４】
0004452874.tif 000005
【０１１０】
（１）ローミング加入者が電話の電源を投入する。
【０１１１】
（２）サービスＭＳＣが、登録通知（ＲＥＧＮＯＴ）メッセージを、ＳＳ７ネットワークを通じて信号転送ポイント（ＳＴＰ）へ送信する。ＳＴＰは、予約済みの１００００ブロックのＭＩＮについて、ＮＬＲポイントコードをＨＬＲとして識別するように構成されており、ＲＥＧＮＯＴメッセージをＮＬＲへルーティングする。
【０１１２】
（３）ＲＥＧＮＯＴメッセージを受信すると、ＮＬＲは、内部データベースでＭＩＮを参照し、当該加入者がＷＰＲ加入者であるかどうかを認識する。ＷＰＲ加入者に対しては、ＮＬＲは、位置情報を内部データベースに格納し、サービスＭＳＣＩＤをＮＬＲに置き換え、ＨＬＲの直接ポイントコードを用いてＲＥＧＮＯＴメッセージをＨＬＲへ転送する。加入者がＷＰＲ加入者でなければ、ＮＬＲは、メッセージを変更することなく直接ＨＬＲへ転送する。
【０１１３】
（４）ＨＬＲは、ＳＳ７ネットワークを通じてＮＬＲに対して、ｒｅｇｎｏｔリターン結果メッセージで応答する。
【０１１４】
（５）ＮＬＲは、ＴＣＰ／ＩＰネットワークを通じてＮＴＣ iRoam サーバへ、位置情報を送信する。
【０１１５】
（６）ＮＴＣ iRoam サーバは、位置情報を更新して該位置情報をマーケットサーバへ送信する。
【０１１６】
（７）iRoam サーバは、位置メッセージをＮＬＲに対して確認する。
【０１１７】
（８）ＮＬＲは、ｒｅｇｎｏｔリターン結果メッセージを、サービスＭＳＣへ転送する前に以下のように変更する。
【０１１８】
・ＨＬＲのＭＳＣＩＤをＮＬＲのＭＳＣＩＤに置換
・発呼トリガフィールドを全ての発呼の試行に設定
・着信制限コードを１（着信禁止）に設定
なお、発呼トリガを全ての通話に設定すると、ＷＰＲ加入者が発呼するときに、ＮＬＲに対してＯＲＲＥＱを呼び出すことになる。着信制限コードが１（着信禁止）に設定されているので、ＷＰＲ加入者へ着呼が伝達されなくなる。
【０１１９】
３．２．２．  ２回目のダイアル無の発呼
Figure 5 に概要が示された以下のステップは、リリース２での発呼の通話フローを説明している。
【０１２０】
Figure 5. リリース２での発呼
【０１２１】
【表５】
0004452874.tif 000006
【０１２２】
（１）ＷＰＲ加入者が通話を開始する。
【０１２３】
（２）サービスＭＳＣは、ＯＲＲＥＱ要求メッセージをＮＬＲへ送信する。
【０１２４】
（３）ＮＬＲは、ダイアルされた番号及び加入者のＭＩＮが含まれたメッセージを、ＴＣＰ／ＩＰネットワークを通じてiRoam サーバへ送信。
【０１２５】
（４）次に、この情報は、iRoam サーバに格納される。新しい一意的な１−８００ＤＮＩＳ番号が、この通話に割り当てられる。iRoam サーバは、１−８００番号をＮＬＲへ返信する。
【０１２６】
（５）ＮＬＲは、１−８００ＤＮＩＳをｏｒｒｅｑリターン結果メッセージでサービス交換局へ転送する。
【０１２７】
（６）サービスＭＳＣは、１−８００ＤＮＩＳで８００＃ＲＳＵへ通話をルーティングする。
【０１２８】
（７）８００＃ＲＳＵは、iRoam サーバに、受信した１−８００ＤＮＩＳ番号の有効性について照会する。
【０１２９】
（８）iRoam サーバは、内部データベースにおける１−８００ＤＮＩＳを参照してダイアルされた番号及びＭＩＮを取得し、この要求をマーケットサーバへ転送して通話の有効性を確認する。
【０１３０】
（９）通話の有効性が確認されると、マーケットサーバは、最大通話継続時間をiRoam サーバに与える。
【０１３１】
（１０）iRoam サーバは、最大通話継続時間及びダイアルされた番号を、８００＃ＲＳＵへ転送する。
【０１３２】
（１１）ＲＳＵは、相手先（ダイアルされた番号）へ通話を接続する。ＲＳＵは、ハードウェア応答監視で、通話が接続されて該通話が最初にＲＳＵへルーティングされた時から計時を開始することを指示するように通話を監視する。通話が発呼若しくは着信機器で切断されるか、又は最大通話継続時間が経過すると、通話は切り離されて切断される。
【０１３３】
３．４．着信
Figure 6 に概要が示された以下のステップは、リリース３での通話の着信を説明している。
【０１３４】
Figure 6. リリース３での通話の着信
【０１３５】
【表６】
0004452874.tif 000007
【０１３６】
（１）ホーム交換局は、ローミング加入者への着呼を受信。
【０１３７】
（２）ホームＭＳＣは、ＨＬＲへＬＯＣＲＥＱを送信。
【０１３８】
（３）ＨＬＲは、ｌｏｃｒｅｑリターン結果メッセージ中のＤＮを返信。
【０１３９】
（４）ホームＭＳＣは、ＤＮでローカルＲＳＵへ通話をルーティング。
【０１４０】
（５）ＲＳＵは、マーケットサーバに通話の有効性について照会し、ＴＬＤＮを要求。
【０１４１】
（６）マーケットサーバは、ＴＬＤＮの要求をiRoam サーバへ送信。
【０１４２】
（７）iRoam サーバは、ＴＬＤＮの要求をＮＬＲへ転送。
【０１４３】
（８）ＮＬＲは、認証指令メッセージをサービスＭＳＣへ送信し、通話の配信を可能にする。そして、ＮＬＲは、ルーティング要求メッセージを、ＳＳ７ネットワークを通じてサービスＭＳＣ（ＶＬＲ）へ送信する。
【０１４４】
（９）サービスＭＳＣは、ＴＬＤＮとともにｒｏｕｔｅｒｅｑリターン結果で、ＮＬＲに応答する。
【０１４５】
（１０）ＮＬＲは、ＴＬＤＮを iRoam サーバへ返信する。
【０１４６】
（１１）iRoam サーバは、ＴＬＤＮをマーケットサーバへ転送する。
【０１４７】
（１２）マーケットサーバは、ＴＬＤＮ及び最大通話継続時間を、ローカルＲＳＵへ送信する。
【０１４８】
（１３）ＲＳＵはＴＬＤＮをダイアルし、サービスＭＳＣへとルーティングする。
【０１４９】
（１４）サービスＭＳＣは、ローミング加入者への通話を完結する。ＲＳＵは、ハードウェア応答監視で、通話が接続されて該通話が最初にＲＳＵへルーティングされた時から計時を開始することを指示するように通話を監視する。通話が発呼若しくは着信機器で切断されるか、又は最大通話継続時間が経過すると、通話は切り離されて切断される。
４．インタフェース及びタグ付けされた要件
ここでは、ＮＴＣワイヤレスローミングソリューションにおけるそれぞれのネットワーク構成要素間の新しいインタフェース／メッセージが、規定される。新規の要件は、参照のためにタグ付けされている。
【０１５０】
＜ＲＥＱ−１＞ＮＴＣロケーションレジスタ（ＮＬＲ）は、他に特記されない限り、ＷＰＲリリース２．０の INgage ロケーションレジスタ（ＩＬＲ）のために規定された全ての要件に基づいている。
【０１５１】
＜ＲＥＱ−２＞ＷＰＲのＭＩＮにおける予約済みのブロックの最小サイズは、少なくとも１００である。
【０１５２】
４．１．リリース１
ＮＴＣワイヤレスローミングソリューションのリリース１において、以下の通話機能がサポートされる。
【０１５３】
＜ＲＥＱ−３＞第２のダイアルトーンを伴うローミング発呼がサポートされる。
【０１５４】
＜ＲＥＱ−４＞ＷＰＲ加入者への着信が禁止される。
【０１５５】
備考：ＷＰＲローミング位置情報は、ＮＴＣ iRoam サーバに要求されることがなく、このリリースでは、ＮＬＲ及び iRoam サーバ間の通信は必要とされていない。
【０１５６】
４．１．１．ローミング登録（２回目のダイアル）
＜ＲＥＱ−５＞ＮＬＲは、ＷＰＲリリース２．０のＩＬＲの要件に規定されているように、非ＷＰＲ加入者からの全てのメッセージを、変更することなく直接ＨＬＲへ転送する。
【０１５７】
＜ＲＥＱ−６＞ＮＴＣワイヤレスローミングソリューションのリリース１は、Figure 7 に規定された登録手順に従う。
【０１５８】
Figure 7. 登録（第２のダイアルトーン）
【０１５９】
【表７】
0004452874.tif 000008
【０１６０】
＜ＲＥＱ−７＞ＮＬＲは、ＷＰＲリリース２．０のＩＬＲの要件に規定されているように、ｒｅｇｎｏｔリターン結果メッセージを変更する。
【０１６１】
・ＨＬＲのＭＳＣＩＤをＮＬＲのＭＳＣＩＤに置換
・発呼インジケータを８（全ての発呼）に設定
・番号（相手先）を１−８００ダイアル番号識別サービス（ＤＮＩＳ）番号に設定
・着信制限コードを１（着信禁止）に設定
＜ＲＥＱ−８＞ホットライン番号（１−８００ＤＮＩＳ番号）は、ＷＰＲのＭＩＮの予約済みの１００ブロック毎に設定可能、すなわち、８桁のＮＰＡ−ＮＸＸ−ＸＸが規定されている。
【０１６２】
４．１．２．ローミング発呼（２回目のダイアル）
ＮＴＣワイヤレスローミングソリューションのリリース１では、ローミング発呼に、第２のダイアルトーンが必要となる。ＷＰＲ加入者が発呼すると、サービスＭＳＣは、登録の際に挿入された１−８００ＤＮＩＳ番号で、中央ＲＳＵへと発呼をバックホールする。中央ＲＳＵは、宛先番号を取り込み、着信者側へ通話を接続する。
【０１６３】
＜ＲＥＱ−９＞ＮＴＣワイヤレスローミングソリューションのリリース１は、Figure 8 に規定された発呼手順に従う。これは、ＮＴＣ８００＃ＲＳＵに対しての要件である。
【０１６４】
Figure 8. 第２のダイアルトーンでの発呼
【０１６５】
【表８】
0004452874.tif 000009
【０１６６】
４．２．リリース２
ＮＴＣワイヤレスローミングソリューションのリリース２において、以下の通話機能がサポートされる。
【０１６７】
＜ＲＥＱ−１０＞第２のダイアルトーン無しのローミング発呼がサポートされる。
【０１６８】
＜ＲＥＱ−１１＞ＷＰＲ加入者への通話の配信が禁止される。
【０１６９】
＜ＲＥＱ−１２＞ＷＰＲローミング位置情報（すなわち、ＭＳＣＩＤ及びロケーション領域ＩＤ）がＮＴＣ iRoam サーバに配信される。
【０１７０】
＜ＲＥＱ−１３＞ＮＬＲ及びiRoam サーバ間の通信リンクは、ＴＣＰ／ＩＰである。
【０１７１】
４．２．１．iRoamサーバ及びNLR間のハートビート（NLRで開始）
ＮＴＣ iRoam サーバ及びＮＴＣロケーションレジスタ（ＮＬＲ）間のインタフェースプロトコルは、ＴＣＰ／ＩＰを通じたものである。ハートビートメッセージが、iRoam サーバ及びＮＬＲ間のアクティブなＴＣＰ／ＩＰ接続を監視するために設計されている。
【０１７２】
＜ＲＥＱ−１４＞ＮＬＲ及び iRoam サーバのリリース２は、Figure 9 に規定されたハートビート手順に従う。
【０１７３】
Figure 9. iRoam 及びＮＬＲ間のハートビート
【０１７４】
【表９】
0004452874.tif 000010
【０１７５】
＜ＲＥＱ−１５＞ＮＬＲには、iRoam サーバに対してのＴＣＰ／ＩＰ接続（ＮＬＲで開始）をオープンする役割がある。
【０１７６】
＜ＲＥＱ−１６＞ＮＬＲには、NLR_Heart_Beat メッセージを、ある時間間隔（nlr_heart_beat_interval）で送信する役割がある。
【０１７７】
＜ＲＥＱ−１７＞NLR_Heart_Beat メッセージにて、ＮＬＲは、ＳＳ７リンク、データベース、及びアプリケーションの状態を iRoam サーバへ報告する。
【０１７８】
＜ＲＥＱ−１８＞iRoam サーバは、NLR_Heart_Beat メッセージを受信すると、NLR_Heart_Beat_Reply メッセージで応答することができる。
【０１７９】
＜ＲＥＱ−１９＞NLR_Heart_Beat_Reply メッセージにて、iRoam サーバは、nlr_heart_beat_interval パラメータを返信する。
【０１８０】
＜ＲＥＱ−２０＞ＮＬＲが一定の時間間隔（nlr_reply_interval）内に応答メッセージを得られない場合、ＮＬＲは、アクティブなソケットをクローズし、iRoam サーバに再接続する。
【０１８１】
＜ＲＥＱ−２１＞iRoam サーバへの再接続が失敗したならば、ＮＬＲは、一定の時間間隔（nlr_retry_interval）で再試行する。
【０１８２】
＜ＲＥＱ−２２＞nlr_reply_interval 及び nlr_retry_interval は、ＮＬＲにて設定可能なパラメータである。
【０１８３】
４．２．２．ローミング登録（発呼トリガ）
＜ＲＥＱ−２３＞ＮＬＲは、ＷＰＲリリース２．０のＩＬＲの要件に規定されているように、非ＷＰＲ加入者からの全てのメッセージを、変更することなく直接ＨＬＲへ転送する。
【０１８４】
＜ＲＥＱ−２４＞ＮＴＣワイヤレスローミングソリューションのリリース２は、Figure 10に規定された登録手順に従う。
【０１８５】
Figure 10. 登録手順（発呼トリガ）
【０１８６】
【表１０】
0004452874.tif 000011
【０１８７】
＜ＲＥＱ−２５＞登録手順の際に、ＮＬＲは、ＷＰＲリリース２．０のＩＬＲの要件に規定されているように、ＷＰＲ加入者の位置情報を取り込む。
【０１８８】
＜ＲＥＱ−２６＞ＮＬＲは、この位置情報を、iRoam サーバへ転送する。
【０１８９】
＜ＲＥＱ−２７＞ＮＬＲは、所定の時間内に Loc_Notification_Confirm メッセージを受信できない場合、Loc_Notification メッセージを再試行せずに、通常の手順に従う。
【０１９０】
＜ＲＥＱ−２８＞ＮＬＲは、どのサービスＭＳＣが発呼トリガをサポートできるのかを識別するために、内部の一時テーブルを維持する。
【０１９１】
＜ＲＥＱ−２９＞サービスＭＳＣが、内部テーブル、又はサポートＰＲＯＦＩＬＥパラメータで指定されたＲＥＧＮＯＴメッセージにあるＴｒａｎｓＣａｐパラメータに指定されるように、発呼トリガをサポートする場合、ＮＬＲは、ＷＰＲリリース２．０のＩＬＲの要件に規定されているように、ｒｅｇｎｏｔリターン結果メッセージを変更する。
【０１９２】
・ＨＬＲのＭＳＣＩＤをＮＬＲのＭＳＣＩＤに置換
・発呼トリガのフィールドを全ての発呼試行に設定
・着信制限コードを１（着信禁止）に設定
＜ＲＥＱ−３０＞それ以外は、ＮＬＲはリリース１における登録を実行する。
【０１９３】
＜ＲＥＱ−３１＞以下のメッセージにより、ＷＰＲ位置情報が変化した場合、ＮＬＲは、新しい位置情報を Loc_Notification で iRoam サーバへ送信する。
【０１９４】
・登録抹消
・移動局の機能停止
・一括での登録解除
・ローミング側が信頼できない者である
４．２．３．ローミング発呼（２回目のダイアル無）
ＮＴＣワイヤレスローミングソリューションのリリース２では、ローミング発呼に、２回目のダイアルトーンが不要である。登録手順の際に、このＷＰＲ加入者のためのＶＬＲは、発呼トリガに全ての通話が設定されている。
【０１９５】
＜ＲＥＱ−３２＞ＮＴＣワイヤレスローミングソリューションのリリース２は、Figure 11 に規定された以下の発呼手順に従う。
【０１９６】
Figure 11. ２回目のダイアルトーン無の発呼
【０１９７】
【表１１】
0004452874.tif 000012
【０１９８】
＜ＲＥＱ−３３＞サービスＭＳＣからＯＲＲＥＱメッセージを受信すると、ＮＬＲは、Routing_info メッセージをダイアルされた番号とともに、iRoam サーバへ送信する。
【０１９９】
＜ＲＥＱ−３４＞iRoam サーバは、一時的な１−８００ＤＮＩＳ番号を加入者に割り当て、ＯＲＲＥＱメッセージで受信したダイアルされた番号とともに格納して、ＮＬＲへ転送する。
【０２００】
＜ＲＥＱ−３５＞ＮＬＲは、サービスＭＳＣに対し、着信リストにおける宛先番号としての１−８００ＤＮＩＳを伴ったｏｒｒｅｑリターン結果メッセージで応答する。
【０２０１】
＜ＲＥＱ−３６＞ＮＬＲは、所定の時間内に Routing_Info_Response メッセージを受信できない場合、Routing_Info メッセージを再試行せずに、１−８００ホットラインＤＮＩＳ（リリース１で使用）をｏｒｒｅｑリターン結果のルーティング番号として設定する。
【０２０２】
４．３．リリース３
４．３．１．iRoamサーバ及びNLR間のハートビート（iRoamで開始）
ＮＴＣワイヤレスローミングソリューションのリリース３では、第２のＴＣＰ／ＩＰ接続が確立され、iRoam で開始された通信を調整する。第２のＴＣＰ／ＩＰ接続は、リリース２の既存のＴＣＰ／ＩＰ接続（ＮＬＲで開始）に追加される。リリース２のＴＣＰ／ＩＰ接続と同様、追加のハートビートメッセージが、iRoam サーバ及びＮＬＲ間のアクティブなＴＣＰ／ＩＰ接続（iRoamで開始）を監視するために、設計されている。
【０２０３】
＜ＲＥＱ−３７＞ＮＬＲ及び iRoam サーバのリリース３は、iRoamで開始されるＴＣＰ／ＩＰ接続を確立することができ、Figure 12 に規定されたハートビート手順に従う。
【０２０４】
Figure 12. iRoam 及びＮＬＲ間のハートビート
【０２０５】
【表１２】
0004452874.tif 000013
【０２０６】
＜ＲＥＱ−３８＞iRoam サーバには、ＮＬＲへのＴＣＰ／ＩＰ接続（iRoamで開始）をオープンする役割がある。
【０２０７】
＜ＲＥＱ−３９＞iRoam サーバは、一定の時間間隔（iRoam_heart_beat_interval）で、iRoam_Heart_Beat メッセージを送信する。
【０２０８】
＜ＲＥＱ−４０＞iRoam_Heart_Beat メッセージを受信すると、ＮＬＲは、ＳＳ７リンク、データベース、及びアプリケーションの状態を伴うiRoam_Heart_Beat_Reply メッセージで、iRoam サーバに応答する。
【０２０９】
＜ＲＥＱ−４１＞iRoam サーバは、一定時間間隔（iRoam_reply_interval）内に iRoam_Heart_Beat_Reply メッセージを取得できない場合、アクティブなソケットをクローズして再接続する。
【０２１０】
＜ＲＥＱ−４２＞ＮＬＲへの再接続が失敗すると、iRoam サーバは、一定時間間隔（iRoam_retry_interval）で再試行する。
【０２１１】
＜ＲＥＱ−４３＞iRoam_reply_interval 及び iRoam_retry_interval は、iRoam サーバで設定可能である。
【０２１２】
４．３．２．通話の配信
＜ＲＥＱ−４４＞ＮＴＣワイヤレスローミングソリューションのリリース３は、リリース２で提供されている通話機能をサポートしている。さらに、ＷＰＲ加入者への着信がサポートされている。
【０２１３】
＜ＲＥＱ−４５＞ＮＴＣワイヤレスローミングソリューションのリリース３は、Figure 13 に規定された着信手順に従う。
【０２１４】
Figure 13. 通話の配信
【０２１５】
【表１３】
0004452874.tif 000014
【０２１６】
＜ＲＥＱ−４６＞iRoam サーバから Routing_Request メッセージを受信すると、ＮＬＲは、ROUTEREQ メッセージを用いてサービスＭＳＣからＴＬＤＮを取得する。
【０２１７】
＜ＲＥＱ−４７＞サービスＭＳＣから routereq リターン結果メッセージを受信すると、ＮＬＲは、Routing_Request_Response メッセージをＴＬＤＮとともに、iRoam サーバへ送信する。
【０２１８】
＜ＲＥＱ−４８＞ＮＬＲが routereq リターン結果をタイムアウト前に受信できなければ、ＮＬＲは、ＴＬＤＮを０に設定する。
【０２１９】
＜ＲＥＱ−４９＞ＮＬＲは、routereq リターン結果を、アクセス禁止パラメータとともに受信した場合、このパラメータを Routing_Request_Response に含め、ＴＬＤＮを０に設定する。
【０２２０】
＜ＲＥＱ−５０＞それ以外の通常の場合、ＮＬＲは、iRoam サーバへの Routing_Request_Response メッセージにおけるアクセス禁止パラメータを０に設定する。
【０２２１】
＜ＲＥＱ−５１＞iRoam サーバから Routing_Request メッセージを受信すると、ＮＬＲは、QUALDIR メッセージをサービスＭＳＣへ送信し、ＷＰＲ加入者への通話の着信を可能にする。
【０２２２】
＜ＲＥＱ−５２＞通話が切断されると、iRoam は、ＮＬＲに対し、Disconnect_Indication メッセージで、通話が終了したことを通知する。
【０２２３】
＜ＲＥＱ−５３＞Disconnect_Indication メッセージを受信すると、ＮＬＲは、着信禁止の QUALDIR を送信することにより、サービスＭＳＣ内のローミングＷＰＲ加入者への通話の着信を禁止する。
【０２２４】
＜ＲＥＱ−５４＞ＮＬＲは、qualdir リターン結果、リターンエラー、リターン拒否を受信したとき、及び／又はタイムアウトのときに、Disconnect_Indication_Confirm メッセージを、iRoam サーバへ送信する。
【０２２５】
＜ＲＥＱ−５５＞ＮＬＲは、QUALDIR を再試行しない。
５．メッセージフォーマット定義
５．１．リリース１
ＮＬＣワイヤレスローミングソリューションのリリース１では、ＮＴＣロケーションレジスタ（ＮＬＲ）及びＮＴＣ iRoam サーバ間の通信はなされない。従って、リリース１では、新しいメッセージは提案されていない。
【０２２６】
５．２．リリース２
＜ＲＥＱ−５６＞リリース２において、ＮＬＲ及びＮＴＣ iRoam サーバ間で交換されるメッセージは、以下の部分の定義に従っている。備考：文字列フィールドはスペースになっている。
【０２２７】
５．２．１  NLR_Heart_Beat(NLR=>iRoam Server)
0004452874.tif 000015
Link_Status、Database_Status、Appl_Statusのフィールドでは、０が通常の状態を示し、１が異常な状態を示す。他の値は予約されている。
【０２２８】
５．２．２  NLR_Heart_Beat_Reply(iRoam Server=> NLR)
0004452874.tif 000016
nlr_heart_beat_intervalフィールドの単位はミリ秒である。
【０２２９】
５．２．３  Loc_Notfication(NLR=>iRoam Server)
0004452874.tif 000017
ロケーション領域ＩＤが得られない場合、デフォルト値はゼロである。
【０２３０】
５．２．４  Loc_Notfication_Confirm(iRoam Server=> NLR)
0004452874.tif 000018
５．２．５  Routing_Info(NLR=>iRoam Server)
0004452874.tif 000019
５．２．６  Routing_Info_Response(iRoam Server=> NLR)
0004452874.tif 000020
５．３．リリース３
＜ＲＥＱ−５７＞リリース３において、ＮＬＲ及びＮＴＣ iRoam サーバ間で交換されるメッセージは、以下の部分の定義に従っている。
【０２３１】
５．３．１  iRoam_Heart_Beat(iRoam Server=> NLR)
0004452874.tif 000021
５．３．２  iRoam_Heart_Beat_Reply(NLR=>iRoam Server)
0004452874.tif 000022
Link_Status、Database_Status、Appl_Statusのフィールドでは、０が通常の状態を示し、１が異常な状態を示す。他の値は予約されている。
【０２３２】
５．３．３  Routing_Request(iRoam Server=> NLR)
0004452874.tif 000023
５．３．４  Routing_Request_Response
0004452874.tif 000024
５．３．５  Disconnect_Indication
0004452874.tif 000025
５．３．６  Disconnect_Indication_Confirm
0004452874.tif 000026
【０２３３】
【表１４】
0004452874.tif 000027
【０２３４】
【表１５】
0004452874.tif 000028
【０２３５】
【表１６】
0004452874.tif 000029
【０２３６】
【表１７】
0004452874.tif 000030
【０２３７】
【表１８】
0004452874.tif 000031
【０２３８】
【表１９】
0004452874.tif 000032
【０２３９】
【表２０】
0004452874.tif 000033
【０２４０】
【表２１】
0004452874.tif 000034
【０２４１】
【表２２】
0004452874.tif 000035
【０２４２】
【表２３】
0004452874.tif 000036
【０２４３】
【表２４】
0004452874.tif 000037
【０２４４】
【表２５】
0004452874.tif 000038
【０２４５】
【表２６】
0004452874.tif 000039
【０２４６】
【表２７】
0004452874.tif 000040
【０２４７】
【表２８】
0004452874.tif 000041
【０２４８】
【表２９】
0004452874.tif 000042
【図面の簡単な説明】
【図１】  標準的なＳＳ７通信ネットワークに組み込まれたローミングソリューションネットワーク構成及び口座課金システムの全体図
【図２】  Ｒｅｇｎｏｔ処理の通話フロー図
【図３】  ワイヤレスローミングプロバイダによる発呼の通話フロー図（２段階ダイアル）
【図４】  ワイヤレスローミングプロバイダからの発呼の通話フロー図（１段階ダイアル）
【図５】  ローミングサービスＭＳＣでのローミング加入者への通話の配信の通話フロー図
【図６】  ローミングサービスＭＳＣ、ＮＬＲ、及びＨＬＲ間における電源投入時のローミング加入者のＲｅｇｎｏｔのインタフェースメッセージ・シーケンス
【図７】  ローミングサービスＭＳＣ、８００＃ＲＳＵ、及びマーケットサーバ間における８００＃ＲＳＵからの第２のダイアルトーンを含むローミング発呼のインタフェースメッセージ・シーケンス
【図８】  ローミングサービスＭＳＣ、ＬＬＲ、ＬＬＲ、ローミングサーバ、マーケットサーバ、及び８００＃ＲＳＵ間における単一段階ダイアルのワイヤレスローミング発呼のインタフェースメッセージ・シーケンス
【図９】  ホームＭＳＣ、ＨＬＲ、ＬＬＲ、ローカルＲＳＵ、マーケットサーバ、ローミングサーバ、及びローミングサービスＭＳＣにおけるローミングサービスＭＳＣへのローミング加入者宛ての通話の配信のインタフェースメッセージ・シーケンス
【図１０】  移動局が機能停止したときのインタフェースメッセージ・シーケンス
【図１１】  アクティブに登録されたローミング加入者の一括での登録解除のインタフェースメッセージ・シーケンス
【図１２】  ローミング加入者が新サービスＭＳＣへ入ったときの再登録のインタフェースメッセージ・シーケンス
【図１３】  ローミング加入者がホームネットワークへ再び入ったときの再登録のインタフェースメッセージ・シーケンス
【図１】
0004452874.tif 000043
【図２】
0004452874.tif 000044
【図３】
0004452874.tif 000045
【図４】
0004452874.tif 000046
【図５】
0004452874.tif 000047
【図６】
0004452874.tif 000048
【図７】
0004452874.tif 000049
【図８】
0004452874.tif 000050
【図９】
0004452874.tif 000051
【図１０】
0004452874.tif 000052
【図１１】
0004452874.tif 000053
【図１２】
0004452874.tif 000054
【図１３】
0004452874.tif 000055